(57)【特許請求の範囲】
【請求項１】
圧縮機、膨張弁、流路切替弁、室内側熱交換器及び室外側熱交換器を配管接続し冷媒を循環させて冷凍サイクルを行う冷媒回路を有し、前記室内側熱交換器で冷媒と熱交換された空気をファンによって室内に供給するエアコンと、
該エアコンの前記冷媒回路に組み込まれた発熱体を有する輻射式熱交換器と、
該輻射式熱交換器の前記発熱体を間に挟み前記発熱体の表面との間に空隙を設けて該表面を覆い、内面は前記発熱体から輻射される輻射熱を反射する反射面となっており、内外面を貫通し輻射熱及び空気が通過する輻射熱通過部を有し、煙突効果により空気の対流を促進する整流板とを備える空気調和装置であって、
前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段を備え、
前記運転モード切替手段は、
前記膨張弁と前記室内側熱交換器とをつなぐ第１の配管と、
該第１の配管がその経路に有する第１のバルブと、
前記流路切替弁と前記室内側熱交換器とをつなぐ第２の配管と、該第２の配管が経路中に有する第２のバルブと、
一端側が前記第２の配管に接続され、他端側が輻射式熱交換器の前記発熱体の配管の一端側に接続されている第３の配管と、
該第３の配管が経路中に有する第３のバルブと、
一端側が前記輻射式熱交換器の前記発熱体の配管の他端側に接続され、他端側が前記第２の配管の前記第２のバルブより前記流路切替弁寄りに接続されている第４の配管と、
該第４の配管がその経路中に有する第４のバルブと、
一端側が前記第２の配管の前記第２のバルブより前記流路切替弁寄りに接続され、他端側が前記第１の配管の前記第１のバルブより前記膨張弁寄りに接続されている第５の配管と、
該第５の配管がその経路中に有する第５のバルブと、
前記第２の配管が、前記第４の配管と前記第３の配管の接続部の間の経路中に有する第６のバルブとを備える
空気調和装置。
【請求項２】
圧縮機、膨張弁、流路切替弁、室内側熱交換器及び室外側熱交換器を配管接続し冷媒を循環させて冷凍サイクルを行う冷媒回路を有し、前記室内側熱交換器で冷媒と熱交換された空気をファンによって室内に供給するエアコンと、
該エアコンの前記冷媒回路に組み込まれた発熱体を有する輻射式熱交換器と、
該輻射式熱交換器の前記発熱体を間に挟み前記発熱体の表面との間に空隙を設けて該表面を覆い、内面は前記発熱体から輻射される輻射熱を反射する反射面となっており、内外面を貫通し輻射熱及び空気が通過する輻射熱通過部を有し、煙突効果により空気の対流を促進する整流板とを備える空気調和装置であって、
前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段を備え、
前記運転モード切替手段は、
前記膨張弁と前記室内側熱交換器とをつなぐ第１の配管と、
前記流路切替弁と前記室内側熱交換器とをつなぐ第２の配管と、
一端側が前記第２の配管に接続され、他端側が輻射式熱交換器の前記発熱体の配管の一端側に接続されている第３の配管と、
一端側が前記輻射式熱交換器の前記発熱体の配管の他端側に接続され、他端側が前記第２の配管の前記第３の配管の接続部より前記室内側熱交換器寄りに接続されている第４の配管と、
一端側が前記第２の配管の前記第４の配管の接続部近傍に接続され、他端側が前記第１の配管に接続されている第５の配管と、
該第５の配管がその経路中に有するバルブと、
前記第２の配管が、前記第４の配管と前記第３の配管の接続部の間の経路中に有するバルブとを備え、
前記第１の配管と前記第２の配管のうち何れか一方が経路中にバルブを有するか、又は前記第３の配管と前記第４の配管のうち何れか一方が経路中にバルブを有する
空気調和装置。
【請求項３】
圧縮機、膨張弁、流路切替弁、室内側熱交換器及び室外側熱交換器を配管接続し冷媒を循環させて冷凍サイクルを行う冷媒回路を有し、前記室内側熱交換器で冷媒と熱交換された空気をファンによって室内に供給するエアコンと、
該エアコンの前記冷媒回路に組み込まれた発熱体を有する輻射式熱交換器と、
該輻射式熱交換器の前記発熱体を間に挟み前記発熱体の表面との間に空隙を設けて該表面を覆い、内面は前記発熱体から輻射される輻射熱を反射する反射面となっており、内外面を貫通し輻射熱及び空気が通過する輻射熱通過部を有し、煙突効果により空気の対流を促進する整流板とを備える空気調和装置であって、
前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段を備え、
前記運転モード切替手段は、
前記膨張弁と前記室内側熱交換器とをつなぐ第１の配管と、
前記流路切替弁と前記室内側熱交換器とをつなぐ第２の配管と、
一端側が前記第２の配管に接続され、他端側が輻射式熱交換器の前記発熱体の配管の一端側に接続されている第３の配管と、
一端側が前記輻射式熱交換器の前記発熱体の配管の他端側に接続され、他端側が前記第２の配管の前記第３の配管の接続部より前記室内側熱交換器寄りに接続されている第４の配管と、
一端側が前記第２の配管の前記第４の配管の接続部近傍に接続され、他端側が前記第１の配管に接続されている第５の配管と、
該第５の配管がその経路中に有するバルブと、
前記第２の配管が、前記第４の配管と前記第３の配管の接続部の間の経路中に有するバルブとを備え、
前記第１の配管と前記第２の配管のうち何れか一方が経路中にバルブを有すると共に前記第３の配管と前記第４の配管のうち何れか一方が経路中にバルブを有する
空気調和装置。
【請求項４】
圧縮機、膨張弁、流路切替弁、室内側熱交換器及び室外側熱交換器を配管接続し冷媒を循環させて冷凍サイクルを行う冷媒回路を有し、前記室内側熱交換器で冷媒と熱交換された空気をファンによって室内に供給するエアコンと、
該エアコンの前記冷媒回路に組み込まれた発熱体を有する輻射式熱交換器と、
該輻射式熱交換器の前記発熱体を間に挟み前記発熱体の表面との間に空隙を設けて該表面を覆い、内面は前記発熱体から輻射される輻射熱を反射する反射面となっており、内外面を貫通し輻射熱及び空気が通過する輻射熱通過部を有し、煙突効果により空気の対流を促進する整流板とを備える空気調和装置であって、
前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段を備え、
前記運転モード切替手段は、
前記膨張弁と前記室内側熱交換器とをつなぐ第１の配管と、
前記流路切替弁と前記室内側熱交換器とをつなぐ第２の配管と、
一端側が前記第２の配管に分岐するように接続され、他端側が輻射式熱交換器の前記発熱体の配管の一端側に接続されている第３の配管と、
一端側が前記輻射式熱交換器の前記発熱体の配管の他端側に接続され、他端側が前記第２の配管に分岐するように接続されている第４の配管と、
前記第２の配管が、前記第３の配管の接続部と前記第４の配管の接続部の間の経路中に有するバルブとを備え、
前記第３の配管、前記発熱体の配管及び前記第４の配管を合わせた経路の長さが前記第３の配管の接続部と前記第４の配管の接続部の間の経路の長さより長く形成されている
空気調和装置。
【請求項５】
圧縮機、膨張弁、流路切替弁、室内側熱交換器及び室外側熱交換器を配管接続し冷媒を循環させて冷凍サイクルを行う冷媒回路を有し、前記室内側熱交換器で冷媒と熱交換された空気をファンによって室内に供給するエアコンと、
該エアコンの前記冷媒回路に組み込まれた発熱体を有する輻射式熱交換器と、
該輻射式熱交換器の前記発熱体を間に挟み前記発熱体の表面との間に空隙を設けて該表面を覆い、内面は前記発熱体から輻射される輻射熱を反射する反射面となっており、内外面を貫通し輻射熱及び空気が通過する輻射熱通過部を有し、煙突効果により空気の対流を促進する整流板とを備える空気調和装置であって、
前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段を備え、
前記運転モード切替手段は、
前記膨張弁と前記室内側熱交換器とをつなぐ第１の配管と、前記流路切替弁と前記室内側熱交換器とをつなぐ第２の配管と、
一端側が前記第２の配管に接続され、他端側が輻射式熱交換器の前記発熱体の配管の一端側に接続されている第３の配管と、
一端側が前記輻射式熱交換器の前記発熱体の配管の他端側に接続され、他端側が前記第２の配管に接続されている第４の配管と、
前記第２の配管が、前記第３の配管の接続部と前記第４の配管の接続部の間の経路中に有するバルブと、
前記第３の配管又は前記第４の配管のうち何れか一方又は双方が経路中に有するバルブとを備える
空気調和装置。
【請求項６】
前記発熱体が複数の配管を有し、該各配管が前記冷媒回路を構成する配管に並列に接続され、冷媒の流通方向が上下方向であり、冷房時には気液二相冷媒が発熱体の配管の上側から下側へ通るように、暖房時には気相冷媒が発熱体の配管の下側から上側へ通るようにしてある
請求項１、２、３、４又は５の空気調和装置。
【請求項７】
前記発熱体の配管が、前記冷媒回路を構成する配管に直列に接続された冷媒の流通方向が上下方向の蛇管状である
請求項１、２、３、４又は５の空気調和装置。
【請求項８】
前記発熱体の配管が、前記冷媒回路を構成する配管に直列に接続された冷媒の流通方向が水平方向の蛇管状であり、冷房時には気液二相冷媒が発熱体の配管の上側から下側へ通るように、暖房時には気相冷媒が発熱体の配管の下側から上側へ通るようにしてある
請求項１、２、３、４又は５の空気調和装置。
【請求項９】
前記各整流板の両側端部に前記各整流板を接続する端部材を配して上部と下部が開口した筒状体を形成し、該筒状体で前記発熱体を内包している
請求項１、２、３、４又は５の空気調和装置。
【請求項１０】
前記エアコンが、前記室外側熱交換器一台に対し配管を並列につないだ複数の室内側熱交換器を有するマルチエアコンであり、前記輻射式熱交換器を、前記複数の室内側熱交換器のそれぞれに対応させて一又は複数を設置した
請求項１、２、３、４又は５の空気調和装置。
【請求項１１】
前記エアコンが、前記圧縮機をインバータ制御するインバータエアコンである
請求項１、２、３、４又は５の空気調和装置。
【請求項１２】
前記発熱体の配管が、内部に長手方向に並行する複数の流路を有する扁平管又は内面に長手方向に並行する複数の条部を有する管である
請求項１、２、３、４又は５の空気調和装置。
【請求項１３】
前記発熱体の上方側又は下方側あるいは上方側及び下方側に、前記整流板の内側の前記空隙に出入りする空気が円滑に流れるよう案内する通気案内部材が配置されている
請求項１、２、３、４又は５の空気調和装置。
【請求項１４】
前記発熱体の表面に、ローレット加工、アルマイト加工、放熱用コーティング、遠赤外線放出用コーティング及び消臭機能、抗菌機能又は揮発性有機化合物の吸着分解機能を有するコーティングから選ばれた一又は複数の加工又はコーティングを施している
請求項１、２、３、４又は５の空気調和装置。
【請求項１５】
前記整流板の表面に、広告又はアート画像が表示されている
請求項１、２、３、４又は５の空気調和装置。
【発明の詳細な説明】
【技術分野】
【０００１】
本発明は、空気調和装置及び空気調和装置の運転方法に関するものである。更に詳しくは、エアコンと輻射式熱交換器を組み合わせた空気調和装置において、輻射式熱交換器が発熱体をカバーする機能を有すると共に室内空気の対流を促進することができ、人体に対し不快なドラフト感を与えないようにしながら、快適性が得られるまでの空調の立ち上がりをより早くし、室内空気を短時間で均一化できるようにして、室内の空調を効率的に行うことができるものに関する。
【背景技術】
【０００２】
一般家庭や事業所等の室内の空調は、一般にはルームエアコンやマルチエアコン等のパッケージエアコンを使用して行われている。一方で、室内機が強制対流式であるエアコンと相違して、ファンによる駆動音や風切り音がなく、冷風や温風により人体に対し不快なドラフト感を与えることもない熱輻射式熱交換ユニットも使用されている。さらに、エアコンの冷凍サイクルの冷媒回路に輻射式熱交換器を組み込んだ空気調和装置も提案されている。
【０００３】
このような空気調和装置としては、例えば特許文献１記載の空気調和装置がある。
前記従来の空気調和装置は、圧縮機<11>と室内熱交換器<13>と室外熱交換器<15>とが配管接続されて冷媒循環により冷凍サイクルを行う冷媒回路<10>を備え、室内熱交換器<13>で冷媒と熱交換した温風が室内に供給される暖房運転機能を備えている。
【０００４】
冷媒回路<10>は、圧縮機<11>の吐出側と室内熱交換器<13>との間に接続されて冷媒から吸熱して輻射熱を室内に発する輻射パネル<12>を備える一方、冷凍サイクルの高圧が冷媒の臨界圧力より高くなるように構成されている。
これにより、冷媒の高温領域を大きくとることができ、輻射パネル<12>からより高温の輻射熱が室内に供給され、室内熱交換器<13>の温風量が低減され、この結果、ドラフト感が低減され、輻射熱による暖房能力を大幅に増大させることができるというものである。
【先行技術文献】
【特許文献】
【０００５】
【特許文献１】特開２００５−１６９１９号公報
【発明の概要】
【発明が解決しようとする課題】
【０００６】
上記特許文献１の空気調和装置の輻射式熱交換器は、輻射パネルというパネル構造であり、（１）室内機とは別の床置き式（実施の形態１、図２参照）、（２）一つの室内ユニット内に輻射パネルと室内熱交換器を収納した一体型の床置き式（実施の形態２、図５、図６参照）及び（３）ケーシングの中に室内熱交換器、グリルの中央に輻射パネルを埋め込んだ天井埋め込み式（実施の形態６、図１８参照）の三種の形式が記載されている。
【０００７】
特許文献１記載の空気調和装置の場合、これら各形態の輻射パネルは、単に輻射面を室内に向けて配置されているだけであり、輻射熱による空気の対流の発生は微小で、室内空気の撹拌は、主として室内熱交換器で加熱された室内空気を送り出すファンによって行われている。したがって、室内の空調を短時間で立ち上げようとしたり、室内空気を短時間で均一化しようとすれば、結局、ファンの送風量を増やす必要があり、しかもファンによる送風は局所的で空気の撹拌効率が悪く時間もかかるため、人体に対し不快なドラフト感を与えてしまう点は充分には解消できていなかった。
【０００８】
また、特許文献１には、輻射パネルの発熱部がカバーされているという記載は特にないので、仮に発熱部表面が露出している場合は、運転時、発熱部が熱せられたときに、利用者の手や身体が触れてしまうと、火傷のおそれがあり危険であるという課題もあった。
【０００９】
本発明は、上記の点に鑑みて創案されたものであり、エアコンと輻射式熱交換器を組み合わせた空気調和装置において、輻射式熱交換器が発熱体をカバーする機能を有すると共に室内空気の対流を促進することができ、人体に対し不快なドラフト感を与えないようにしながら、快適性が得られるまでの空調の立ち上がりを早くし、室内空気を短時間で均一化できるようにして、室内の空調を効率的に行うことができる空気調和装置及び空気調和装置の運転方法を提供することを目的とする。
【課題を解決するための手段】
【００１０】
上記課題を解決するために本発明が講じた手段は次のとおりである。
（１）本発明は、圧縮機、膨張弁、流路切替弁、室内側熱交換器及び室外側熱交換器を配管接続し冷媒を循環させて冷凍サイクルを行う冷媒回路を有し、前記室内側熱交換器で冷媒と熱交換された空気をファンによって室内に供給するエアコンと、該エアコンの前記冷媒回路に組み込まれた発熱体を有する輻射式熱交換器と、該輻射式熱交換器の前記発熱体を間に挟み前記発熱体の表面との間に空隙を設けて該表面を覆い、内面は前記発熱体から輻射される輻射熱を反射する反射面となっており、内外面を貫通し輻射熱及び空気が通過する輻射熱通過部を有し、煙突効果により空気の対流を促進する整流板とを備える空気調和装置である。
【００１１】
（２）本発明は、前記輻射式熱交換器を、前記発熱体の配管を前記冷媒回路の配管に対し直列に接続して配することもできる。
【００１２】
この場合、空気調和装置は、エアコンと輻射式熱交換器を有し、その両方を同時に運転するものにおいて、最もシンプルな構成の空気調和装置となる。したがって、例えば一般家庭に既設のエアコンに輻射式熱交換器を組み合わせるよう施工する場合、最も簡単で安価な手段となり得る。
【００１３】
（３）本発明は、前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段とを備えることもできる。
【００１４】
この場合、例えば室内の空調を立ち上げるまでは、エアコンと輻射式熱交換器を運転する第１の運転モードで運転し、空調が整ったらエアコンのみを運転する第２の運転モード又は輻射式熱交換器のみを運転する第３の運転モードで空調の維持を図るようにする等、室内の空調の状況に合わせて、最も好適な運転モードを適宜選択できる。したがって、利用者にとって快適な空調を行うことができると共に、過剰な温度の上昇や下降等を抑制できるので省エネルギーにも貢献できる。
【００１５】
（４）本発明は、（運転モード切替手段１：バルブ６個型）
前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段とを備え、前記運転モード切替手段は、前記膨張弁と前記室内側熱交換器とをつなぐ第１の配管と、該第１の配管がその経路中に有する第１のバルブと、前記流路切替弁と前記室内側熱交換器とをつなぐ第２の配管と、該第２の配管が経路中に有する第２のバルブと、一端側が前記第２の配管に接続され、他端側が輻射式熱交換器の前記発熱体の配管の一端側に接続されている第３の配管と、該第３の配管が経路中に有する第３のバルブと、一端側が前記輻射式熱交換器の前記発熱体の配管の他端側に接続され、他端側が前記第２の配管の前記第２のバルブより前記流路切替弁寄りに接続されている第４の配管と、該第４の配管がその経路中に有する第４のバルブと、一端側が前記第２の配管の前記第２のバルブより前記流路切替弁寄りに接続され、他端側が前記第１の配管の前記第１のバルブより前記膨張弁寄りに接続されている第５の配管と、該第５の配管がその経路中に有する第５のバルブと、前記第２の配管が、前記第４の配管と前記第３の配管の接続部の間の経路中に有する第６のバルブとを備えるようにしてもよい。
【００１６】
この場合、空気調和装置において、室外機と共に室内機及び輻射式熱交換器を運転する際には、第５のバルブ及び第６のバルブを閉じ、他の第１のバルブ、第２のバルブ、第３のバルブ及び第４のバルブを開けておくようにする。
また、室内機の運転を停止し、輻射式熱交換器のみを運転する際には、第１のバルブ、第２のバルブ及び第６のバルブを閉じ、他の第３のバルブ、第４のバルブ及び第５のバルブを開けておくようにする。
更に、輻射式熱交換器の運転を停止し、室内機のみを運転する際は、第３のバルブ、第４のバルブ及び第５のバルブを閉じ、他の第１のバルブ、第２のバルブ及び第６のバルブを開けておくようにする。
【００１７】
（５）本発明は、（運転モード切替手段２：バルブ５個型）
前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段とを備え、前記運転モード切替手段は、前記膨張弁と前記室内側熱交換器とをつなぐ第１の配管と、前記流路切替弁と前記室内側熱交換器とをつなぐ第２の配管と、一端側が前記第２の配管に接続され、他端側が輻射式熱交換器の前記発熱体の配管の一端側に接続されている第３の配管と、一端側が前記輻射式熱交換器の前記発熱体の配管の他端側に接続され、他端側が前記第２の配管の前記第３の配管の接続部より前記室内側熱交換器寄りに接続されている第４の配管と、一端側が前記第２の配管の前記第４の配管の接続部近傍に接続され、他端側が前記第１の配管に接続されている第５の配管と、該第５の配管がその経路中に有するバルブと、前記第２の配管が、前記第４の配管と前記第３の配管の接続部の間の経路中に有するバルブとを備え、前記第１の配管と前記第２の配管のうち何れか一方が経路中にバルブを有するか、又は前記第３の配管と前記第４の配管のうち何れか一方が経路中にバルブを有するようにしてもよい。
【００１８】
この場合、空気調和装置において、室外機と共に室内機及び輻射式熱交換器を運転する際には、第５の配管のバルブ及び第４の配管と第３の配管の接続部の間の経路中のバルブを閉じ、第１の配管と第２の配管のうち何れか一方の配管のバルブ又は第３の配管と第４の配管のうち何れか一方の配管のバルブを開けておくようにする。
また、室内機の運転を停止し、輻射式熱交換器のみを運転する際には、第１の配管と第２の配管のうち何れか一方の配管にバルブがある場合はそのバルブ及び第４の配管と第３の配管の接続部の間の経路中のバルブを閉じ、第３の配管と第４の配管のうち何れか一方の配管にバルブがある場合はそのバルブ及び第５の配管のバルブを開けておくようにする。
更に、輻射式熱交換器の運転を停止し、室内機のみを運転する際は、第３の配管と第４の配管のうち何れか一方の配管にバルブがある場合はそのバルブ及び第５の配管のバルブを閉じ、第１の配管と第２の配管のうち何れか一方の配管にバルブがある場合はそのバルブ及び第４の配管と第３の配管の接続部の間の経路中のバルブを開けておくようにする。
【００１９】
（６）本発明は、（運転モード切替手段３：バルブ４個型）
前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段とを備え、前記運転モード切替手段は、前記膨張弁と前記室内側熱交換器とをつなぐ第１の配管と、前記流路切替弁と前記室内側熱交換器とをつなぐ第２の配管と、一端側が前記第２の配管に接続され、他端側が輻射式熱交換器の前記発熱体の配管の一端側に接続されている第３の配管と、一端側が前記輻射式熱交換器の前記発熱体の配管の他端側に接続され、他端側が前記第２の配管の前記第３の配管の接続部より前記室内側熱交換器寄りに接続されている第４の配管と、一端側が前記第２の配管の前記第４の配管の接続部近傍に接続され、他端側が前記第１の配管に接続されている第５の配管と、該第５の配管がその経路中に有するバルブと、前記第２の配管が、前記第４の配管と前記第３の配管の接続部の間の経路中に有するバルブとを備え、前記第１の配管と前記第２の配管のうち何れか一方が経路中にバルブを有すると共に前記第３の配管と前記第４の配管のうち何れか一方が経路中にバルブを有するようにしてもよい。
【００２０】
この場合、空気調和装置において、室外機と共に室内機及び輻射式熱交換器を運転する際には、第５の配管のバルブ及び第４の配管と第３の配管の接続部の間の経路中のバルブを閉じ、第１の配管と第２の配管のうち何れか一方の配管のバルブ又は第３の配管と第４の配管のうち何れか一方の配管のバルブを開けておくようにする。
また、室内機の運転を停止し、輻射式熱交換器のみを運転する際には、第１の配管と第２の配管のうち何れか一方の配管のバルブ及び第４の配管と第３の配管の接続部の間の経路中のバルブを閉じ、第３の配管と第４の配管のうち何れか一方の配管のバルブ及び第５の配管のバルブを開けておくようにする。
更に、輻射式熱交換器の運転を停止し、室内機のみを運転する際は、第３の配管と第４の配管のうち何れか一方の配管のバルブ及び第５の配管のバルブを閉じ、第１の配管と第２の配管のうち何れか一方の配管のバルブ及び第４の配管と第３の配管の接続部の間の経路中のバルブを開けておくようにする。
【００２１】
（７）本発明は、（運転モード切替手段４：バルブ１個型）
前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段とを備え、前記運転モード切替手段は、前記膨張弁と前記室内側熱交換器とをつなぐ第１の配管と、前記流路切替弁と前記室内側熱交換器とをつなぐ第２の配管と、一端側が前記第２の配管に分岐するように接続され、他端側が輻射式熱交換器の前記発熱体の配管の一端側に接続されている第３の配管と、一端側が前記輻射式熱交換器の前記発熱体の配管の他端側に接続され、他端側が前記第２の配管に分岐するように接続されている第４の配管と、前記第２の配管が、前記第３の配管の接続部と前記第４の配管の接続部の間の経路中に有するバルブとを備え、前記第３の配管、前記発熱体の配管及び前記第４の配管を合わせた経路の長さが前記第３の配管の接続部と前記第４の配管の接続部の間の経路の長さより長く形成されている構成とすることもできる。
【００２２】
この場合、室外機と共に室内機及び輻射式熱交換器を運転する際には、第３の配管の接続部と第４の配管の接続部の間の経路中に有するバルブを閉じるようにする。
また、輻射式熱交換器の運転を停止し、室内機のみを運転する際は、第３の配管の接続部と第４の配管の接続部の間の経路中に有するバルブを開けるようにする。これにより、第２の配管を通る冷媒は、第２の配管から分岐した第３の配管の接続部と第４の配管の接続部の間の経路より長い第３の配管、発熱体の配管及び第４の配管は通らず、経路が短い側の、第３の配管の接続部と第４の配管の接続部の間の経路を通る。
更に、室内機の運転を停止し、輻射式熱交換器のみを運転する際には、第３の配管の接続部と第４の配管の接続部の間の経路中に有するバルブを閉じた状態で、エアコンの室内機のファンを停止させる。これにより、室内機は、室内側熱交換器の配管に冷媒が通るだけで空調を行うことはできず、実質的に輻射式熱交換器のみが運転することになる。
【００２３】
（８）本発明は、（運転モード切替手段５：バルブ２個又は３個型）
前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段とを備え、前記運転モード切替手段は、前記膨張弁と前記室内側熱交換器とをつなぐ第１の配管と、前記流路切替弁と前記室内側熱交換器とをつなぐ第２の配管と、一端側が前記第２の配管に接続され、他端側が輻射式熱交換器の前記発熱体の配管の一端側に接続されている第３の配管と、一端側が前記輻射式熱交換器の前記発熱体の配管の他端側に接続され、他端側が前記第２の配管に接続されている第４の配管と、前記第２の配管が、前記第３の配管の接続部と前記第４の配管の接続部の間の経路中に有するバルブと、前記第３の配管又は前記第４の配管のうち何れか一方又は双方が経路中に有するバルブとを備えている構成とすることもできる。
【００２４】
この場合、室外機と共に室内機及び輻射式熱交換器を運転する際には、第３の配管の接続部と第４の配管の接続部の間の経路中に有するバルブを閉じ、第３の配管又は第４の配管のうち何れか一方又は双方が経路中に有するバルブを開けるようにする。
また、輻射式熱交換器の運転を停止し、室内機のみを運転する際は、第３の配管の接続部と第４の配管の接続部の間の経路中に有するバルブを開け、第３の配管又は第４の配管のうち何れか一方又は双方が経路中に有するバルブを閉じるようにする。これにより、冷媒は第２の配管を通り、第３の配管、発熱体の配管及び第４の配管は通らない。
更に、室内機の運転を停止し、輻射式熱交換器のみを運転する際には、第３の配管の接続部と第４の配管の接続部の間の経路中に有するバルブを閉じ、第３の配管又は第４の配管のうち何れか一方又は双方が経路中に有するバルブを開けた状態で、エアコンの室内機のファンを停止させる。これにより、室内機は、室内側熱交換器の配管に冷媒が通るだけで空調を行うことはできず、実質的に輻射式熱交換器のみが運転することになる。
【００２５】
（９）本発明は、前記発熱体が複数の配管を有し、該配管が前記冷媒回路を構成する配管に並列に接続され、冷媒の流通方向が上下方向であり、冷房時には気液二相冷媒が発熱体の配管の上側から下側へ通るように、暖房時には気相冷媒が発熱体の配管の下側から上側へ通るようにしてもよい。
【００２６】
この場合、冷房時においては、通常上方の天井付近の温度が高く、再気化するための熱エネルギーが大きいので、冷媒を発熱体の上側から配管に導入し下側へ通すことにより熱効率がよくなる。なお、気液二相冷媒が、配管に導かれて熱を吸収しながら重力の作用で配管を下向きに移動する過程において、効率よく熱交換されて気相冷媒に変化し、気相冷媒は室外機に導かれる。また、並列型においては、導入された冷媒が、分岐した複数の配管に均一に分配されるように、導入配管より上部ヘッダー等の断面を大きくとることができる。この場合、上部ヘッダー等は大きい断面（空間）を有しているので、上部ヘッダー等に冷媒が入ったときに、圧力が解放されることになるため再気化が促進される。
【００２７】
また、暖房時においては、通常下方の床付近の温度が低くなっており、放熱して暖房を行うためには、温度差が大きい下部から導入したほうが熱交換効率がよくなる。つまり、気相冷媒は、下部ヘッダー等から分岐された配管に導かれて、凝縮し放熱しながら配管を上向きに移動する。その際には、冷媒が気相であるため、冷媒に重力はほとんど作用せず、上方へ円滑に移動できる。また、発熱体では放熱による熱交換が効率よく行われ、冷媒は、凝縮により一部が液相冷媒に変化し、気液二相冷媒となって室内機に導かれる。そして、冷媒は、エアコンの室内機で更に凝縮されて放熱し、冷媒は室外機に導かれる。
【００２８】
（１０）本発明は、前記発熱体の配管が、前記冷媒回路を構成する配管に直列に接続された冷媒の流通方向が上下方向の蛇管状とすることもできる。
【００２９】
この場合、配管が並列型の発熱体と相違して、暖房時に高温高圧の気相冷媒を配管の下側から上側へ通し、冷房時に気液二相冷媒を配管の上側から下側へ通すときと同様の優位性はないが、冷媒を配管の上下どちら側から他方側へ通してもよいので、配管の自由度が高い。また、冷媒が配管内を上下に繰り返し移動する過程で、気液二相冷媒の重力作用による下方移動と、気相冷媒の重力がかからない状態での上方移動が交互に繰り返し行われることになり、冷媒の流通がスムーズに行われ、蒸発器としての熱交換もスムーズに行われる。
【００３０】
（１１）本発明は、前記発熱体の配管が、前記冷媒回路を構成する配管に直列に接続された冷媒の流通方向が水平方向の蛇管状であり、冷房時には気液二相冷媒が発熱体の配管の上側から下側へ通るように、暖房時には気相冷媒が発熱体の配管の下側から上側へ通るようにしてもよい。
【００３１】
この場合、輻射式熱交換器は、上記のように発熱体が複数の配管を有し、配管が冷媒回路を構成する配管に並列に接続され、冷媒の流通方向が上下方向であるものに、暖房時に高温高圧の気相冷媒を配管の下側から上側へ通し、冷房時に気液二相冷媒を配管の上側から下側へ通したときと同様の上記したような作用及び優位性を有する。
【００３２】
（１２）本発明は、前記各整流板の両側端部に前記各整流板を接続する端部材を配して上部と下部が開口した筒状体を形成し、該筒状体で前記発熱体を内包するようにしてもよい。
【００３３】
この場合、各整流板の両側端部に端部材があるため、各整流板の間を通る空気の流れがより整った流れになり、煙突効果がより効果的に作用する。
【００３４】
（１３）本発明は、前記エアコンが、前記室外側熱交換器一台に対し配管を並列につないだ複数の室内側熱交換器を有するマルチエアコンであり、前記輻射式熱交換器を、前記複数の室内側熱交換器のそれぞれに対応させて一又は複数を設置した構成とすることもできる。
【００３５】
この場合、複数の室内側熱交換器を、室外側熱交換器を有する一台の室外機で運転することができるので、効率的な運転ができ、特に多数の部屋を有するビル等における各部屋（各室）の空調に有用である。
【００３６】
（１４）本発明は、前記エアコンが、前記圧縮機をインバータ制御するインバータエアコンである構成とすることもできる。
【００３７】
この場合、圧縮機の出力を多段階又は無段階に調節することができるので、冷房及び暖房のより細かな制御ができるようになり、快適性が向上する。また、エアコンと輻射式熱交換器を運転する際の電力消費についても細かな制御ができるので、省エネルギーにも貢献できる。
【００３８】
（１５）本発明は、前記発熱体の配管が、内部に長手方向に並行する複数の流路を有する扁平管又は内面に長手方向に並行する複数の条部を有する管であってもよい。
【００３９】
この場合、扁平管は、熱交換を行う配管の外表面の面積を充分に確保しながら、各流路は複数に細分化されており、各流路の位置がそれぞれ外表面に近い構造となるので、流路の中心部分の位置が外表面とやや遠い円管等と比較して、より効率のよい熱交換が可能になる。また、複数の条部を有する管は、配管の内面の面積が単なる管体より広くなるので、より効率のよい熱交換が可能になる。
【００４０】
（１６）本発明は、前記発熱体の上方側又は下方側あるいは上方側及び下方側に、前記整流板の内側の前記空隙に出入りする空気が円滑に流れるよう案内する通気案内部材が配置されている構成でもよい。
【００４１】
この場合、各整流板の煙突効果による空気の流れを、通気案内部材によって更にスムーズにすることができるので、室内において輻射式熱交換器により対流する空気の流量を増大させることに貢献できる。
【００４２】
（１７）本発明は、前記発熱体の表面に、ローレット加工、アルマイト加工、放熱用コーティング、遠赤外線放出用コーティング及び消臭機能、抗菌機能又は揮発性有機化合物の吸着分解機能を有するコーティングから選ばれた一又は複数の加工又はコーティングを施してもよい。
【００４３】
この場合、ローレット加工、アルマイト加工、放熱用コーティングを施すことで、発熱体の放熱性を向上させ、発熱体における熱交換をより効率よく行うことができる。遠赤外線放出用コーティングを施せば、発熱体から放出される遠赤外線が輻射熱とも相まって室内の温度調節を効率的に行うことができる。また、消臭機能や抗菌機能又は揮発性有機化合物の吸着分解機能を有するコーティングを施すことで、これらの機能性によって輻射式熱交換器のメンテナンスがより簡単になり、快適に使用できる。
【００４４】
（１８）本発明は、前記整流板の表面に、広告又はアート画像が表示されている構成とすることもできる。
【００４５】
この場合、発熱体のカバーとしての機能を有する整流板を広告パネルやサインとして活用することができる。すなわち、輻射式熱交換器は、設置する室内空間に大きく露出する形態でもあり存在感が大きいので、広告を表示する場合は、より効果的な広告としての機能を持たせることができる。また、アート画像を表示する場合は、アート画像によって華やかな空間や利用者が安らげる空間をつくる等、室内を様々に演出することができる。
【００４６】
（１９）本発明は、圧縮機、膨張弁、流路切替弁、室内側熱交換器及び室外側熱交換器を配管接続し冷媒を循環させて冷凍サイクルを行う冷媒回路を有し、前記室内側熱交換器で冷媒と熱交換された空気をファンによって室内に供給するエアコンと、該エアコンの前記冷媒回路に組み込まれた発熱体を有する輻射式熱交換器と、該輻射式熱交換器の前記発熱体を間に挟み前記発熱体の表面との間に空隙を設けて該表面を覆い、内面は前記発熱体から輻射される輻射熱を反射する反射面となっており、内外面を貫通し輻射熱及び空気が通過する輻射熱通過部を有し、煙突効果により空気の対流を促進する整流板と、前記エアコンと前記輻射式熱交換器を運転する第１の運転モード、前記エアコンのみを運転する第２の運転モード及び前記輻射式熱交換器のみを運転する第３の運転モードの各運転モードを自動又は手動で何れか一つの運転モードに切り替える運転モード切替手段とを備える空気調和装置において、
前記第１の運転モードで前記エアコンと前記輻射式熱交換器を運転しているときに、前記エアコンの前記ファンを停止させて、実質的に前記輻射式熱交換器のみの運転を行う空気調和装置の運転方法である。
【００４７】
輻射熱通過部の構造は、輻射熱（放射熱ともいう）及び空気が通ることができれば、特に限定するものではない。例えば、パンチングメタルに形成されている孔のように多数の孔（穴）であってもよいし、多数の細いスリットであってもよい。また、孔やスリットの形状は特に限定するものではなく、例えば円形、楕円形、各種多角形等である。孔やスリットは、それぞれが貫通穴として繋がっていてもよいし、繋がっておらず別々に形成されていてもよい。更に、孔やスリットの大きさは特に限定するものではないが、利用者が過って発熱体に接触したり故意に触れたりできないように、例えば指が入らない大きさであるのが好ましい。なお、本明細書及び請求の範囲において、「輻射」の用語は「放射」と言い換えることができる。
【００４８】
発熱体の構造は、例えば冷媒を通す配管を平板状に配した構造、あるいは冷媒を通す配管を円筒状に配した構造等である。また、発熱体の側方周りにある整流板の形状も特に限定するものではなく、例えば円管状、角管状、平板状又は曲板状等、発熱体の構造に合わせて適宜形成される。
【００４９】
本明細書及び請求の範囲にいう「煙突効果」の用語は、整流板を筒状に形成して発熱体の側部の全部を覆うことにより空隙内の空気の流速が増す効果の他、例えば整流板を発熱体の表裏側に配置する等、発熱体の側部の一部を覆うことによる同等の効果を含む意味で使用している。
【００５０】
本明細書及び請求の範囲にいう「アート画像」の用語は、例えばサイン（記号や看板表示）、各種デザインの他、絵、写真等、各種アーティスティックな表現の意味を含むものである。なお、広告とアート画像は、印刷又は手描き等による平面的な表現であるのが好ましい。
【００５１】
（作用）
本発明の空気調和装置の作用を説明する。
輻射式熱交換器は、整流板による煙突効果によって、発熱体に沿う空隙内での空気の流れ（輻射式熱交換器が設置される室内空気の全体的な循環（対流）の一部である意味を含む）が促進される。また、整流板は、内外面を貫通した輻射熱通過部を有しているので、発熱体に沿って空隙内を速い速度で空気が流れると、空隙内の圧力が低下して（ベルヌーイの定理から）輻射熱通過部から空隙内に空気が取り込まれ、整流板の内側の空隙を通る空気の流量が増大し、室内空気の対流が更に促進される。
【００５２】
なお、輻射式熱交換器は、整流板による煙突効果及び発熱体の熱や結露水から利用者をガードするカバーとしての機能を有しながら、発熱体から輻射される輻射熱が輻射熱通過部を通り直接外部へ輻射されるので、整流板が熱を帯びることにより生じる輻射熱とも相まって、整流板を有していない場合と同等かほとんど変わらない効率的な熱輻射を行うことができる。
【００５３】
つまり、発熱体から輻射される熱を効率よく室内へ輻射して空調に利用することができるので、上記良好な室内空気の対流による熱の移動と輻射熱とが相まって、室内の空調を均一化することができ、空調の立ち上がりが早い。すなわち、空調が快適な状態に整うまでの時間が比較的短い。また、室内空気の対流が良好であることで、室内側熱交換器のファンの送風量はそれほど必要でないか、又はファンを作動させなくてもすむために、人が感じるドラフト感を低減するか又はなくすことができる。
【００５４】
また、整流板に輻射熱通過部を設けることで、上記のように室内空気の対流が更に促進されるので、発熱体による熱交換がより円滑に効率よく行われ、例えば冷房時の発熱体の凍結や、暖房時の過熱が起こりにくくなる。以下、作用について詳細に説明する。
【００５５】
まず、室内の暖房を行う場合は、発熱体近傍の空気が伝導熱や輻射熱で加熱され、発熱体に沿うように下から上方向の空気の流れが生じる。これにより、例えば輻射式熱交換器と床面の隙間等から各整流板の内側の空隙に外部の空気が流入し、各空隙を上昇しながら発熱体で更に加熱されることにより、前記空気の流れが継続される。また、発熱体との間に空気が流れる空隙を設けて整流板が配置されることによる、いわゆる煙突効果によって、流れる空気の流量は大きくなる。
【００５６】
発熱体と整流板の間の空隙を上昇する加熱された空気は、例えば輻射式熱交換器の上端と天井面との間の隙間から外部へ排出される。排出された空気は、煙突効果によって流速も増しており、天井面に沿うように輻射式熱交換器から相当に離れた位置まで到達する。また、空気はこの移動に伴って室内空気及び天井面と熱交換を行い、冷却され降下して床面側へ移動する。そして、輻射式熱交換器の下部から空隙内に入り、発熱体で加熱され上昇する。このようにして、室内空気は、発熱体で加熱されながら室内全体を循環し対流する。
【００５７】
一方、発熱体から放出される輻射熱は、その一部が各整流板に形成されている各輻射熱通過部を通り、整流板外側の室内に移動する。なお、輻射熱が輻射熱通過部を通過する割合は、輻射熱通過部の開口率に依存する。このようにして、輻射熱が利用者に伝播すれば、利用者は直接的に温かさを感じることができる。また、輻射熱は、壁、天井、床等を温めるため有効に利用され、温まった壁、天井、床等によって室内空気は間接的に温められる。
【００５８】
また、輻射熱のうち、各輻射熱通過部を通ることができなかった輻射熱は、各整流板の内面側の反射面で反射され、更に発熱体や他の整流板の反射面との間で乱反射が起こる。
これにより、輻射熱の一部は、各輻射熱通過部を通り室内に放出され、一部は各整流板で形成される上下開口部から室内に放出される。更に、一部は各整流板を加熱して温度を上昇させ、各整流板からの外方向への輻射熱が室内に放出される。
【００５９】
このように、輻射式熱交換器によれば、室内の暖房を行う場合、前記輻射熱の反射、放出を繰り返しながら、室内は空気の対流により移動する熱と共に輻射熱によって良好に加熱され、室内全体の空調を効果的に行うことができる。また、これにより、エアコンの室内側熱交換器のファンの送風量を少なくするか、又はファンを停止させることが可能になり、結果的に利用者が感じるファンからの送風によるドラフト感が抑制されるか、又はドラフト感をなくすことができる。
【００６０】
また、室内の冷房を行う場合は、前記暖房を行う場合と異なり、空気が発熱体で冷却されるために、発熱体及び各整流板に沿う空気の流れは上から下方向となり、冷却された空気の流れは、前記暖房の場合とはほぼ逆方向となるが、室内全体の空調を効果的に行うことができる点や、利用者が感じるファンからの送風によるドラフト感を抑制することができる点等、前記暖房の場合と同様の作用を有する。
【００６１】
更には、発熱体を各整流板の内側に内蔵する構成により、発熱体を直接手で触れることができないようになっている。したがって、気相冷媒等による暖房時、発熱体が高温になる場合があるが、利用者が誤って発熱体に触れることもないので、利用者にとって安全である。また、冷房時、発熱体表面に凝縮した結露水を、手で触れることがなく衛生的であり、利用者の服等が結露水で不意に濡れてしまうこともない。更に、発熱体自体に外的な力を受けることがほとんどないので、発熱体が外側からの圧力や衝撃で変形したり破損するのを防止できる。
【００６２】
したがって、外的な力に対抗する強度もそれほど必要ではなく、少なくとも流体の圧力に耐えうる強度を有する構造であればよいので、発熱体の素材として比較的強度が低くて軽いもの等を採用することができ、発熱体に使用する素材の選択肢が広がる。また、発熱体に誤ってぶつかり怪我をするような危険性も低減できる。
【００６３】
また、液相冷媒や冷媒ガスを利用する場合は、高圧力となるため、耐圧性が高く伝導性がよいもの、例えば銅又はアルミニウム製等の金属製の冷媒管や精密扁平管の表面に熱放射率が高い加工を施したものを利用することもできる。前記合成樹脂管やカーボンファイバー管の発熱体は、それぞれに比較的に軽量であるので、装置の軽量化が可能である。
【００６４】
これにより、設置工事の際の資材の搬入作業や組み立て作業の負担が軽減され、設置工事のコストを押さえることができる。また、装置の軽量化により、例えば地震の際の変形応力等が小さくなり、それを支えるための補強工事等も必要最小限でよい。このように、設置における様々な制約が軽減され、設置後における地震等による装置の転倒のリスク等が低減される。したがって、利用者の安全にも寄与できるものである。 
【００６５】
このような作用を有する輻射式熱交換器を備えた空気調和装置は、輻射式熱交換器が発熱体に直接冷媒を通す構造であるため起動が早く、短時間で熱輻射効果を得られる上に、エアコンの制御を利用することで、室温の調整を容易に制御できる。これにより輻射式熱交換器専用の空気の温度調整のための回路構成が不要であり、システムのコストを削減する事ができる。
【００６６】
すなわち、暖房時は、冷凍サイクルにより圧縮機で高温高圧となった気相冷媒が、まず、輻射式熱交換器に供給されるため、発熱体の温度が比較的短い時間で冷媒の温度に達し、例えば６０℃から８０℃程度の、発熱体の表面温度に応じた輻射熱を放出する。
【００６７】
この輻射式熱交換器からの輻射熱は、上記したように利用者の体感に直接作用できるので、エアコンと組み合わせることで、エアコン単体で暖房を行う場合と比較して、快適性が得られるまでの空調の立ち上がりが早くなる。また、床や壁、天井、人体に直接輻射熱が伝播することで、利用者の足元から温かさが得られ、温度を低く設定しても温かく感じられるので、省エネルギーにも貢献できる。その後、気相状態の冷媒は、エアコンの凝縮器となる室内機へ送られ、室内機は暖房を行う。
【００６８】
また、冷房時は、冷凍サイクルにより室外機の室外側熱交換器で液化し発熱した液相冷媒を膨張弁で減圧し、これにより生じた低温の気液二相状態の冷媒を、まずエアコンの室内機に供給し、室内機を蒸発器として作用させ、空気の熱を奪って冷房を行う。そして、気液二相状態の冷媒を輻射式熱交換器へ送り、輻射式熱交換器の発熱体を蒸発器として作用させ、発熱体からの冷熱の輻射によって輻射冷房を行う。
【００６９】
このように、冷房運転においては、例えばエアコンを優位に制御しながら、エアコンと輻射式熱交換器の両方を運転する、いわゆるハイブリッド運転が可能になり、従来のような輻射パネル（輻射式熱交換器）のみで空調を行う場合のような、空調の立ち上がりの遅さを改善することができる。また、その後の輻射熱（冷熱）の作用で、床や壁、天井の温度が徐々に下がり、これらが相乗して利用者の体感に作用するので、エアコンを弱い運転としても快適性を得ることができる。
【００７０】
また、冷房時、冷凍サイクルにおける輻射冷房の運転における課題が改善できる。すなわち、空気調和装置は、あくまでエアコンの室内機を蒸発器とし、室内空気の熱で加温されて一部液相となった気液二相の冷媒は、例えば７℃から１５℃程度であり、この冷媒を輻射式熱交換器の発熱体に通すため、発熱体が凍結することはない。さらに、加温されることで冷媒の蒸発が促進されるため、気化が充分に行われることで昇圧した気相冷媒となって圧縮機に導入されるので、圧縮機にかかる負荷が軽減され、圧縮機の寿命を延ばすことに貢献でき、省エネルギーにも貢献できる。
【００７１】
更には、輻射式熱交換器により無風、無音の冷暖房の機能が発揮され、室内空気の対流が促進される分だけ、壁や床、天井の温度むらが低減され、室内機のファンによる風量を下げても充分に快適性が得られるので、エアコンの室内機からの大風量による不快なドラフト感を抑制することができる。これにより、室内機のファンの運転を抑制することに貢献することができ、ファンのモーターの寿命が延び、延いては室内機の寿命を延ばすことができる。
【００７２】
なお、空気調和装置は、エアコンの冷凍サイクルに、室内に設置される輻射式熱交換器を組み込んだ、いわゆるハイブリッド型の空気調和装置であるので、エアコンの室内温度制御プログラム等の利用、すなわちリモートコントローラを使用した通常のエアコンの操作によって、例えばドライ運転、フィルター機能等の空気清浄機能、あるいは加湿機能等の多機能なエアコンの運転制御と、輻射式熱交換器の運転制御を行うことができる。更に、負荷が少ない省エネルギー運転においては、冷媒をエアコンの室内機を経由せずに、室外機と輻射式熱交換器のみに経由するようにしても良く、その際には、室内機を室内空気の温度を感知して室外機を制御する機能のみに使うこともできる。
【発明の効果】
【００７３】
本発明は、エアコンと輻射式熱交換器を組み合わせた空気調和装置において、輻射式熱交換器が発熱体をカバーする機能を有すると共に室内空気の対流を促進することができ、人体に対し不快なドラフト感を与えないようにしながら、快適性が得られるまでの空調の立ち上がりを早くし、室内空気を短時間で均一化できるようにして、室内の空調を効率的に行うことができる空気調和装置及び空気調和装置の運転方法を提供できる。
【図面の簡単な説明】
【００７４】
【図１】本発明の空気調和装置の第１実施の形態を示す概略説明図である。
【図２】図１の空気調和装置のブロック図である。
【図３】図１の空気調和装置を示し、（ａ）は暖房時のブロック図、（ｂ）は冷房時のブロック図である。
【図４】輻射式熱交換器の第１実施の形態を示し、（ａ）は正面図、（ｂ）は（ａ）におけるＡ−Ａ断面図である。
【図５】図４に示す輻射式熱交換器の正面側と背面側の整流板を取り外した状態の正面視説明図である。
【図６】輻射式熱交換器の構造を示し、（ａ）は図４（ａ）におけるＢ−Ｂ拡大断面図、（ｂ）は鉛直管の拡大横断面図、（ｃ）は発熱体の配管の他の例を示す断面図である。
【図７】本発明の空気調和装置の第２実施の形態を示す概略説明図である。
【図８】輻射式熱交換器の第２実施の形態を示し、（ａ）は正面側の整流板を一部切り欠いた正面視説明図、（ｂ）は（ａ）におけるＣ−Ｃ断面図である。
【図９】輻射式熱交換器の第３実施の形態を示し、（ａ）は正面側の整流板を一部切り欠いた正面視説明図、（ｂ）は（ａ）におけるＤ−Ｄ断面図である。
【図１０】輻射式熱交換器の第４実施の形態を示し、（ａ）は正面側の整流板を一部切り欠いた正面視説明図、（ｂ）は（ａ）におけるＥ−Ｅ断面図である。
【図１１】輻射式熱交換器の構造を示し、（ａ）は図１０（ａ）におけるＦ−Ｆ拡大断面図、（ｂ）は鉛直管の拡大横断面図である。
【図１２】輻射式熱交換器の第５実施の形態を示し、発熱体の上部と下部に通気案内部材を配した場合の空気の流れを示し、（ａ）は暖房時、（ｂ）は冷房時の説明図である。
【図１３】輻射式熱交換器の他の実施の形態を示し、整流板の表面に広告文字を表した例を示す説明図である。
【図１４】本発明の空気調和装置の第３実施の形態を示す概略説明図である。
【図１５】本発明の空気調和装置の第４実施の形態を示す概略説明図である。
【図１６】本発明の空気調和装置の第５実施の形態を示す概略説明図である。
【図１７】本発明の空気調和装置の第６実施の形態を示す概略説明図である。
【図１８】空気調和装置のエアコンのみを運転した場合と、エアコンと輻射式熱交換器を同時に運転した場合の室温の変化を示したグラフである。
【図１９】空気調和装置のビルマルチエアコンのみを運転した場合と、ビルマルチエアコンと輻射式熱交換器を同時に運転した場合の室温の変化を示したグラフである。
【図２０】空気調和装置のエアコンのみを運転した場合と、エアコンと輻射式熱交換器を同時に運転した場合の消費電力の変化を示したグラフである。
【図２１】空気調和装置のビルマルチエアコンのみを運転した場合と、ビルマルチエアコンと輻射式熱交換器を同時に運転した場合の消費電力の変化を示したグラフである。
【発明を実施するための形態】
【００７５】
本発明を図面に示した実施の形態に基づき詳細に説明する。
図１、図２及び図３を参照する。図１では、便宜上、輻射式熱交換器Ｒ１として発熱体１のみを表している。図３では、図示の便宜上、下記配管９２、９２ａ、９２ｂ、９２ｃを配管９２としてまとめて表し、バルブＶ１〜Ｖ６を省略している。
なお、図１中の表記で、ＥＸ１は「冷房運転時の冷媒ガスの流れ」を示し、ＥＸ２は「暖房運転時の冷媒ガスの流れ」を示す。これについては、図１４、図１５、図１６及び図１７も同様である。また、図２中の表記で、ＥＸ３は「ファンON/OFF信号」を示し、ＥＸ４は「バルブ開閉信号」を示す。更に、図３中の表記で、ＥＸ５は「冷気」を示し、ＥＸ６は「暖気」を示す。
【００７６】
空気調和装置Ａ１は、冷凍サイクルの冷媒回路に組み込まれた室外機９０と室内機９１を有するエアコン９と、室外機９０と室内機９１をつなぐ配管９２、９８に、発熱体１の配管が接続されている輻射式熱交換器Ｒ１とを備えている。
【００７７】
エアコン９は、冷暖房機能を有し一般家庭で使用されるような公知のルームエアコンである。エアコン９は、圧縮機９４をインバータ制御するインバータエアコンであってもよいし、インバータ制御されないノンインバータエアコンであってもよい。なお、インバータエアコンを採用した方がより効率的な空調を行うことができ、省エネルギーにも寄与できる点については後述する。
【００７８】
図２、図３に示すように、エアコン９の室外機９０は、蒸発器又は凝縮器として機能する室外側熱交換器９３を有すると共に、圧縮機９４、流路切替弁である四方切替弁９５及び膨張弁９６を有している。符号９３０は、室外側熱交換器９３のファンである。
また、室内機９１は、室外側熱交換器９３が蒸発器として機能するときは凝縮器として機能し、室外側熱交換器９３が凝縮器として機能するときは蒸発器として機能する室内側熱交換器９７を有している。符号９７０は、室内側熱交換器９７のファンである。
【００７９】
そして、輻射式熱交換器Ｒ１は、四方切替弁９５から室内側熱交換器９７につながり冷媒が通る第２の配管９２、詳しくは暖房時（図３（ａ）参照）に圧縮機９４で高温高圧となった気相冷媒が室内側熱交換器９７へ向け流通する配管９２の経路中に、下記発熱体１を接続して組み込まれている。
第１の配管である配管９８は、冷房時において膨張弁９６で膨張させた気相冷媒を室内側熱交換器９７へ送る配管である。なお、輻射式熱交換器Ｒ１は、本実施の形態では一台が設置されているが、複数台を直列又は並列に接続し設置することもできる（図７参照）。
【００８０】
また、図１に示すように、配管９２には、他端側が下記発熱体１の下部ヘッダー管１１につながる第３の配管である配管９２ａの一端側が接続されている。配管９２ａの経路には、第３のバルブであるバルブＶ３が設けられている。発熱体１の上部ヘッダー管１０には、第４の配管である配管９２ｂの一端側が接続され、配管９２ｂの他端側は、配管９２の経路で配管９２ａの接続部より更に室内機９１寄りに接続されている。また、配管９２と配管９８は、配管９２ｂの接続位置で第５の配管である配管９２ｃにより接続されている。配管９２ｂの経路には第４のバルブであるバルブＶ４が設けられ、配管９２ｃの経路には第５のバルブであるバルブＶ５が設けられている。
【００８１】
また、配管９２の経路において配管９２ａの接続部と配管９２ｂの接続部の間には、第６のバルブであるバルブＶ６が設けられている。更に、配管９２と配管９８において、配管９２ｃの接続部と室内機９１の間には、配管９８に第１のバルブであるバルブＶ１が設けられ、配管９２に第２のバルブであるバルブＶ２が設けられている。
制御部９９は、温度センサＳを有しており、温度センサＳは、室内の所定の測定点に配置されている。各バルブＶ１、Ｖ２、Ｖ３、Ｖ４、Ｖ５及びＶ６には、制御部９９からそれぞれ信号経路（図２に点線で図示）を介し、バルブ開閉信号が送られる。また、室内側熱交換器９７のファン９７０には、制御部９９から信号経路を介し、ファン９７０のON/OFF信号が送られる。
【００８２】
次に、エアコン９に接続されて空気調和装置Ａ１に組み込まれる輻射式熱交換器Ｒ１について詳細に説明する。図４ないし図６を主に参照する。
輻射式熱交換器Ｒ１は、上下方向（鉛直方向）に配置される発熱体１と、発熱体１を支持する化粧フレーム２、２ａと、発熱体１の表裏両側に発熱体１との間に後で説明するように所要の空隙３９、４９を設けて上下方向に配置される正面側（図４（ａ）では手前側、図４（ｂ）では左側）の整流板３、３ａ、３ｂ及び背面側の整流板４、４ａ、４ｂを備えている。
【００８３】
発熱体１は、木製の化粧フレーム２、２ａの内側に固定されている。化粧フレーム２、２ａは、端部材を構成し、左右に所要間隔をおいて互いに平行に、且つ鉛直方向に配置されている。化粧フレーム２、２ａの下端部の内面側には、床面５に固定するためのＬ板状の下部固定用部材２０、２１が固定されている。なお、化粧フレーム２、２ａの材料は木に限定されず、例えば合成樹脂やアルミニウム等の金属を採用することもできる。
【００８４】
また、化粧フレーム２、２ａの上端部の内面側には、天井面６に固定するためのＬ板状の上部固定用部材２２、２３が固定されている。床面５に接する下部固定用部材２０、２１の水平部（符号省略）は、化粧フレーム２、２ａの下端と面一になっており、天井面６と接する上部固定用部材２２、２３の水平部（符号省略）は、化粧フレーム２、２ａの上端よりやや高い位置にある。
【００８５】
化粧フレーム２、２ａの間には、アルミニウム、銅等を使用した金属製の発熱体１が上部ヘッダー管１０の両端を取付具２４、２５によって化粧フレーム２、２ａの内面に固定して取り付けられている。化粧フレーム２、２ａ間の上下方向の中間部には、水平方向に補強部材２６が固定されており、化粧フレーム２、２ａの枠体としての強度を補強している。なお、補強部材２６は、発熱体１の下記各鉛直管１２の間隔を固定する機能を併せ持つものである。
【００８６】
発熱体１は、上部ヘッダー管１０と、上部ヘッダー管１０と下方へ所要の間隔をおいて平行に配置された下部ヘッダー管１１を有している。上部ヘッダー管１０と下部ヘッダー管１１の両端は、それぞれ気密及び液密に閉塞されている。
上部ヘッダー管１０が配置される高さは、図５に示すように化粧フレーム２、２ａの上端よりやや低い位置に設定されている。また、下部ヘッダー管１１が配置される高さは、化粧フレーム２、２ａの下端より高い位置に設定されている。
【００８７】
上部ヘッダー管１０と下部ヘッダー管１１は、所要間隔で互いに平行に設けられた多数の鉛直管１２で接続され、上部ヘッダー管１０と下部ヘッダー管１１及び各鉛直管１２は連通している。各鉛直管１２は、図６（ｂ）に示すように、内部に長手方向に並行する複数の流路１２０を有する金属製の扁平管である。鉛直管１２は、熱交換を行う外表面の面積を充分に確保しながら、各流路１２０は複数に細分化されている。これにより、各流路１２０の位置がそれぞれ外表面に近い構造となるので、効率のよい熱交換が可能になる。
【００８８】
上部ヘッダー管１０の図５において右側端部には、上記配管９２に接続される給排管１３が上方へ向け鉛直方向に接続されている。また、下部ヘッダー管１１の図５において左側端部には、配管９２に接続される給排管１４が上方へ向け鉛直方向に接続されている。給排管１３、１４は、上端部が何れも上部固定用部材２２、２３の水平部よりやや下方位置まで延長され、給排管１４は配管９２ａに、給排管１３は配管９２ｂに接続されている。この構造によれば、発熱体１の各鉛直管１２には、冷房時においては気液二相冷媒が上側から下側へ通り、暖房時においては気相冷媒が下側から上側へ通る。
【００８９】
なお、上部ヘッダー管１０と下部ヘッダー管１１及び各鉛直管１２の表面には、放熱性を高めるための放熱用コーティングが施されている。発熱体１の表面には、他にもローレット加工、アルマイト加工、放熱用コーティング等の放熱性に寄与する加工やコーティングを施すことができる。また、遠赤外線の放出に寄与する遠赤外線の放出に寄与するコーティング又は消臭機能、抗菌機能又は揮発性有機化合物の吸着分解機能を有するコーティングを施すこともできる。これらは単独で採用してもよいし、複数を組み合わせて採用してもよい。また、下部ヘッダー管１１のやや下方には、上方が開放された樋形状の集水部材であるドレンパン１５が両端部を化粧フレーム２、２ａの間に固定して配置されている。ドレンパン１５の底部の一端側にはドレン管１６が接続されている。冷房時、発熱体１の表面に結露した結露水は、ドレンパン１５に滴下し、適宜、ドレン管１６を通して集められ、処理される。
【００９０】
化粧フレーム２、２ａの正面側には、整流板３、３ａ、３ｂが着脱自在に装着されており、背面側には、整流板４、４ａ、４ｂが同じく着脱自在に装着されている。整流板３、３ａ、３ｂと整流板４、４ａ、４ｂは、例えば両側縁部の曲げ部に形成された複数の溝を上記化粧フレーム２、２ａの正面側と背面側の内面に形成されたピンに引っ掛けて装着する構造であるが、他の公知取り付け手段を採用することもできる。
【００９１】
整流板３、３ａ、３ｂと整流板４、４ａ、４ｂは、それぞれを一組として上下三段に取り付けられ、各組全体としては、化粧フレーム２、２ａ間の全幅及び全高のほぼ全体を塞ぐことができる大きさの長方形状である。上記発熱体１と整流板３、３ａ、３ｂ、及び発熱体１と整流板４、４ａ、４ｂの間には、空気が流通する空隙３９、４９が形成されている。なお、最下部の整流板３ｂ、４ｂは、他の整流板３、３ａ、４、４ａより小さく形成されており、これらを取り外すことにより、ドレンパン１５のメンテナンスができる。
【００９２】
また、整流板３、３ａ、３ｂと整流板４、４ａ、４ｂはアルミニウム製で、周縁部の一部を残しほぼ全面にわたり輻射熱通過部である表裏面を貫通した多数の輻射熱通過孔３０、４０（図８を参考）が形成されているパンチングメタル（又はパンチングボード）である。整流板３、３ａ、３ｂと整流板４、４ａ、４ｂの内面は、輻射熱を反射する反射面３１、４１となっている。整流板３、３ａ、３ｂの各輻射熱通過孔３０及び整流板４、４ａ、４ｂの各輻射熱通過孔４０の開口率は本実施の形態では５０％に設定されている。
【００９３】
輻射熱通過孔は、例えば一方側の整流板３、３ａ、３ｂのみに形成して、他方側の整流板４、４ａ、４ｂには形成しないようにすることもできるし、上記各整流板３、３ａ、３ｂ、４、４ａ、４ｂのうち任意の整流板のみに形成することもできる。
前者においては、整流板３、３ａ、３ｂからの輻射熱を整流板４、４ａ、４ｂより強くすることが可能になり、輻射式熱交換器Ｒ１を壁面の近くに位置させる場合も、輻射熱が弱い整流板４、４ａ、４ｂ側を壁に向けることで、壁面に対する熱の影響を小さくすることができる。
【００９４】
なお、輻射熱通過孔３０、４０の配列や個数、孔の形状や開口率は特に限定されるものではなく、多彩なデザインで適宜設定することができる。本実施の形態では、反射面３１、４１に、輻射熱の乱反射を促進するためにエンボス加工を施して細かな凹凸を形成している。また、整流板３、３ａと整流板４、４ａはアルミニウムで形成されているので、伝熱効果に優れ、空気との熱交換効率がより向上する。
【００９５】
また、例えばドレンパン１５に近い上記整流板３ｂ、４ｂの内面に消臭機能、抗菌機能、あるいは揮発性有機化合物(VOC：volatile organic compounds)の吸着分解機能等を有するコーティングを施して、室内空気清浄化を図ることもできる。このようなコーティングは、輻射式熱交換器Ｒ１の他の部分、例えば発熱体１や整流板３、３ａ、整流板４、４ａの表面にも施すことができる。
【００９６】
整流板３、３ａ、３ｂと整流板４、４ａ、４ｂは、全体の周縁部が発熱体１の周縁より張り出し、正面視及び背面視において発熱体１より広い面を有している。整流板３と整流板４の上端は、化粧フレーム２、２ａの上端と面一に設定されており、整流板３ｂと整流板４ｂの下端は、化粧フレーム２、２ａの下端よりやや上方の位置に設定されている。
【００９７】
正面側の整流板３、３ａ、３ｂ背面側の整流板４、４ａ、４ｂ及びそれらの幅方向両端側の化粧フレーム２、２ａは、一体となることにより、上端部に上部開口部２７、下端部に下部開口部２８を有するやや扁平な四角筒体となる。このように、発熱体１を囲む構造体が筒体となることで、室内空気の対流を促進する煙突効果がより優れた構造となる。
【００９８】
なお、整流板３、３ａ、３ｂと整流板４、４ａ、４ｂの大きさ及び取付位置を上記のように設定することにより、図４（ａ）、（ｂ）に示すように輻射式熱交換器Ｒ１を床面５と天井面６に固定したときに、床面５と整流板３ｂ及び整流板４ｂの下端との間には下部隙間５０が形成され、天井面６と整流板３及び整流板４の上端の間には上部隙間６０が形成される。
【００９９】
（作用）
図１ないし図６を参照して、輻射式熱交換器Ｒ１を備えた空気調和装置Ａ１の作用を説明する。
【０１００】
空気調和装置Ａ１において、室外機９０と共に室内機９１及び輻射式熱交換器Ｒ１を運転する際には、制御部９９の制御により、上記バルブＶ５、Ｖ６を閉じ、他のバルブＶ１、Ｖ２、Ｖ３、Ｖ４を開けておくようにする。
また、室内機９１の運転を停止し、輻射式熱交換器Ｒ１を運転する際には、上記バルブＶ１、Ｖ２、Ｖ６を閉じ、他のバルブＶ３、Ｖ４、Ｖ５を開けておくようにする。
更には、バルブＶ３、Ｖ４、Ｖ５を閉じ、他のバルブＶ１、Ｖ２、Ｖ６を開けておけば、輻射式熱交換器Ｒ１の運転を停止し、室内機９１のみを運転することもできる。また、各バルブＶ１〜Ｖ６の操作は制御部９９により自動制御で行うこともできるし、手動により行うこともできる。
なお、運転モード切替手段としての配管とバルブ構成の他のバリエーションについては後述する。
【０１０１】
（輻射式熱交換器Ｒ１の作用）
空気調和装置Ａ１の輻射式熱交換器Ｒ１は、壁面８からやや離した位置に、下部固定用部材２０、２１により床面５に固定し、上部固定用部材２２、２３により天井面６に固定して室内に設置される。
輻射式熱交換器Ｒ１の発熱体１の給排管１４と給排管１３は、図１に示すように配管９２につながる配管９２ａ、９２ｂに接続されている。
【０１０２】
輻射式熱交換器Ｒ１によって室内の暖房を行う場合、高温の気相冷媒が給排管１４から発熱体１に供給されることにより発熱体１は加熱される。このとき、気相冷媒が各鉛直管１２の下側から上側へ通るようになっており（図５参照）、温度がより低く上方と温度差が大きい室内下方の床面５付近の空気をまず加熱するので、熱交換効率がよく、効果的な暖房を行うことができる。また、気相冷媒は、下部ヘッダー１１から分岐された各鉛直管１２に導かれて、凝縮し放熱しながら上向きに移動する。その際には、冷媒が気相であるため、冷媒に重力はほとんど作用せず、上方へ円滑に移動できる。
【０１０３】
また、発熱体１の放熱による空気との熱交換も効率よく行われ、冷媒は、凝縮により一部が液相冷媒に変化し、気液二相冷媒となって室内機９１に導かれる。そして、冷媒は、室内機９１の室内側熱交換器９７で更に凝縮されて放熱し、冷媒は室外機９０の室外側熱交換器９３に導かれる。
このようにして、発熱体１近傍の空気が輻射熱で加熱され、発熱体１に沿うように下から上方向の空気の流れが生じる。なお、以下の空気の流れの説明では、便宜上、下記図１２（ａ）を参照する。
【０１０４】
これにより、床面５側の隙間５０から整流板３ｂと整流板４ｂの間の下部開口部２８を通り外部の空気が流入する。流入した空気が、整流板３、３ａ、３ｂと整流板４、４ａ、４ｂの内側の各空隙３９、４９を上昇しながら発熱体１で更に加熱されることにより、上方向への空気の流れが継続される。また、発熱体１の正面側と背面側に整流板３、３ａ、３ｂと整流板４、４ａ、４ｂ及び化粧フレーム２、２ａにより扁平な四角筒体が形成されていることにより、その煙突効果によって、室内空気の対流を良好に行うのに充分な流量が確保される。
【０１０５】
各空隙３９、４９を上昇する加熱された空気は、整流板３と整流板４の間の上部開口部２７を通り上部の天井面６側の隙間６０から外部へ排出される。排出された空気は、煙突効果によって流速も増しており、天井面６に沿うように輻射式熱交換器Ｒ１から相当に離れた位置まで到達する。また、空気はこの移動に伴って室内空気と熱交換を行い、冷却され降下して床面５側へ移動し、再度輻射式熱交換器Ａ１の下部から入り、発熱体１で加熱され上昇する。このようにして、室内空気は、発熱体１で加熱されながら室内全体を循環し、対流が促進される。
【０１０６】
一方、発熱体１から輻射される輻射熱は、その一部（本実施の形態では、輻射熱通過孔３０、４０の開口率が５０％であるので、通過する割合は、下部開口部２８及び上部開口部２７を通るものを勘案すると、輻射熱全体の５０％程度と思われる）が整流板３、３ａ、３ｂと整流板４、４ａ、４ｂに形成されている各輻射熱通過孔３０、４０を通り、室内に放出される。これにより、輻射熱は、室内空気の温度を上げるために直接的に、且つ有効に利用される。
【０１０７】
また、上記発熱体１から輻射される輻射熱のうち、各輻射熱通過孔３０、４０を通ることができなかった輻射熱は、整流板３、３ａ、３ｂと整流板４、４ａ、４ｂの内面側の反射面３１、４１で反射され、更に発熱体１や他の対向する整流板の反射面３１、４１との間で乱反射が起こる。これにより、輻射熱の一部は、各輻射熱通過孔３０、４０を通り室内に放出され、一部は整流板３、３ａ、３ｂと整流板４、４ａ、４ｂの間の下部開口部２８及び上部開口部２７から室内に放出される。更に、一部は整流板３、３ａ、３ｂと整流板４、４ａ、４ｂを加熱して温度を上昇させ、各整流板からの外方向への輻射熱が室内に放出される。
【０１０８】
また、輻射式熱交換器Ｒ１によって室内の冷房を行う場合、通常上方の天井６付近の温度が高く、再気化するための熱エネルギーが大きいので、冷媒を発熱体１の配管の上側から導入し下側へ通したほうが熱効率がよくなる。発熱体１のような並列型の配管においては、上部ヘッダー１０から分岐された鉛直管１２に導かれて、熱を吸収しながら重力の作用も相まって気液二相冷媒が鉛直管１２を下向きに移動する過程において効率よく熱交換されて気相冷媒に変化し、気相冷媒は室外機９０に導かれる。
なお、冷房時においては、輻射式熱交換器Ｒ１により生じる空気の流れが上記暖房時と逆方向となるが、他の作用については暖房時と大体において同じである。
【０１０９】
このように、本実施の形態に係る輻射式熱交換器Ｒ１によれば、上記のような輻射熱の反射、放出を繰り返しながら、室内空気の対流を良好に行うことができるので、室内は空気の対流により移動する熱及び輻射熱によって良好に加熱又は冷却され、室内全体の空調を効率的且つ効果的に行うことができる。
【０１１０】
（空気調和装置Ａ１の作用）
上記作用と機能性を有する輻射式熱交換器Ｒ１を備えた空気調和装置Ａ１は、次のように作用する。
まず、暖房時においては、冷凍サイクルにより圧縮機９４で高温（例えば６０〜８０℃程度）、高圧となった気相冷媒が、四方切替弁９５を通って、まず、輻射式熱交換器Ｒ１に供給される。これにより、発熱体１の温度が比較的短い時間で冷媒の温度に達し、輻射式熱交換器Ｒ１は、発熱体１の表面温度に応じた輻射熱を放出する。
【０１１１】
なお、輻射式熱交換器Ｒ１からの輻射熱は、利用者の体感に直接作用できるので、上記のように輻射式熱交換器Ｒ１で室内空気の対流が促進されることとも相まって、エアコン９単体で暖房を行う場合と比較して、快適性が得られるまでの空調の立ち上がりが早くなる。また、床面５や壁面８、天井面６、あるいは人体に直接輻射熱が伝播することで、足元から温かさが得られ、エアコン９の調節により温度を低く設定しても温かく感じられるので、結果的に省エネルギーとなる。
【０１１２】
そして、輻射式熱交換器Ｒ１を通った気相冷媒は、放熱によって５〜１０℃程度温度が低下した高温、高圧の気相冷媒として、凝縮器となる室内機９１へ送られ、室内機９１は室内側熱交換器９７によって室内空気との熱交換を行い、冷媒が凝縮し放熱することで暖房を行う。
【０１１３】
また、冷房時においては、四方切替弁９５の切替により、上記暖房時とは逆の冷凍サイクルとなる。すなわち、室外機９０の室外側熱交換器９３で液化し発熱した液相冷媒を膨張弁９６で減圧膨張させ、これにより生じた低温の気液二相状態の冷媒を、まずエアコン９の室内機９１に供給し、室内機９１を蒸発器として作用させ、室内空気の熱を奪って冷房を行う。そして、室内機９１から気液二相状態の冷媒を輻射式熱交換器Ｒ１へ送り、輻射式熱交換器Ｒ１を蒸発器として作用させ、冷媒を再気化させることで室内空気の熱を奪い発熱体１からの冷熱の輻射によって輻射冷房を行う。
【０１１４】
輻射式熱交換器Ｒ１による室内空気との熱交換により、冷媒を再気化させることで、発熱体１の温度がより低下する。また、冷媒は完全に気化し、昇圧された冷媒は圧縮機９４に導入され、更に圧縮されるが、気相冷媒の圧力は高くなっているため圧縮機９４にかかる負荷は比較的軽い。そして、冷媒を高温高圧の気相冷媒として凝縮器である室外側熱交換器９３に送ることで、上記のように圧縮機の負荷を軽減しながらも、より低い温度でも効率よく凝縮できるので、エアコン９のヒートポンプとしての効率も高まり、省エネルギーとなる。
【０１１５】
また、圧縮機９４においては、気化が促進された低温低圧の気相冷媒を吸引することにより、圧縮機９４の負担を軽減し、この点からも省エネルギーとなる。端的にいえば、空気調和装置Ａ１は、従来、空調に利用されずに無駄になっていた熱エネルギーを、輻射式熱交換器Ｒ１を採用することで有効に利用して、エアコン９のヒートポンプとしての効率を上げたものである。
【０１１６】
つまり、室内の熱エネルギーを利用して冷媒の相変化のために消費させて、室内空気の温度を下げることができるので、今まで潜熱エネルギーが残った状態で圧縮機９４に戻っていた気液二相冷媒の未利用エネルギーを利用することが可能になり、その分効率が上がる。更に、輻射式熱交換器Ｒ１で気液二相冷媒が蒸発して再気化することにより、圧縮機９４に供給される前に低温のガスとなって圧力が高まった状態で供給されるので、圧縮機９４の運転を助けることになると同時に、冷媒の液相が逆流することを抑制し、圧縮機９４の寿命も伸ばすことができる。また、気液分離器（アーキュムレータ）の容積を小さくして小型化することができる。
【０１１７】
また、冷房運転においては、エアコン９と輻射式熱交換器Ｒ１のうち、エアコン９を優位に動かす、いわゆるハイブリッド運転が可能になり、従来のような輻射パネルによる空調の立ち上がりの遅さを改善することができる。また、その後の輻射熱（冷熱）の作用で、床面５や壁面８、天井面６の温度が徐々に下がり、これらからの輻射熱が相乗して利用者の体感に作用するので、エアコン９を弱い運転としても快適性を得ることができる。
【０１１８】
なお、空気調和装置Ａ１の運転においては、上記各運転モード、すなわち（１）エアコン９と輻射式熱交換器Ｒ１を同時に運転するモード、（２）輻射式熱交換器Ｒ１の運転を停止し、エアコン９のみを運転するモード、（３）エアコン９の運転を停止し、輻射式熱交換器Ｒ１のみを運転するモードの他、輻射式熱交換器Ｒ１のみを運転するモードについては、（４）エアコン９と輻射式熱交換器Ｒ１を運転している状態でエアコン９の室内機９１側のファン９７０を停止させる（止める）方法もある。
【０１１９】
上記（４）の場合の、空気調和装置Ａ１の運転状態及び作用を説明する。
空気調和装置Ａ１において、制御部９９の制御によって上記バルブＶ５、Ｖ６を閉じ、他のバルブＶ１、Ｖ２、Ｖ３、Ｖ４を開けておき、エアコン９と輻射式熱交換器Ｒ１を同時に運転するハイブリッド運転を行う。そして、室内の空調が整い、室温が設定温度に達したところで、室内機９１側のファン９７０を停止させる。
【０１２０】
なお、エアコンだけで空調を行う場合は、冷房時においては、室温が設定温度に達すると、設定温度を維持するために、冷凍サイクルとファンを併用して省エネルギー運転を行い、最終的にはファンを停止させ、更に冷凍サイクルも停止する。つまり、ファンを停止させると室内側熱交換器が蒸発器として機能しないので、冷凍サイクルも停止せざるを得ない。
【０１２１】
仮に、設定温度を維持するために、冷凍サイクルを停止した状態でファンにより送風を行うと、蒸発器に結露した水分の影響で、湿度が高い不快な風となり、冷房されている室内空気に悪影響を及ぼすことになる。また、ファンと冷凍サイクルの運転と停止を繰り返す運転は、消費電力が大きい冷凍サイクルの起動を繰り返すことになるので、多くの無駄なエネルギーを消費することになる。
【０１２２】
これに対し、空気調和装置Ａ１は、無動力である輻射式熱交換器Ｒ１が、室内機９１のファン９７０が停止していても、冷房時においては蒸発器として作動するので、冷凍サイクルを維持することができる。これにより、空気調和装置Ａ１は、実質的に輻射式熱交換器Ｒ１のみを運転して快適性を維持する省エネルギー運転を行うことができる。
【０１２３】
また、ファン９７０を停止させることで、モーターノイズや風切り音がなく、静寂性が得られ、エアコン９の送風（冷風）による不快なドラフト感や冷え過ぎも防止できる。
更には、輻射式熱交換器Ｒ１からの輻射熱による熱移動によって、床壁天井、人体、備品等の温度が下がり、室内の上下で温度ムラが少なくなって快適性が向上するのは上記した通りである。
【０１２４】
輻射熱は、体感に直接作用するため、同じ室温でもより涼しく感じられる。また、上記のようにエアコン９の送風を停止できるので、そのような制御を行うことで、消費電力が低減され、省エネルギーに寄与できる。更に、発熱体１の冷却作用により室内空気の除湿を行うことができ、湿度を低下させることで、快適性が得られる。
【０１２５】
なお、エアコンだけで空調を行う場合、暖房時においては、室温が設定温度に達すると、設定温度を維持するために、冷凍サイクルとファンを併用して、温度維持のために省エネルギー運転を行い、最終的にはファンを停止し、更に冷凍サイクルも停止する。つまり、ファンを停止させると室内側熱交換器が凝縮器として機能しないので、冷凍サイクルも停止せざるを得ない。
【０１２６】
仮に、設定温度を維持するために、冷凍サイクルを停止した状態でファンにより送風を行うと、不快なドラフト感のある温度が低い風となり、暖房されている室内空気に悪影響を及ぼすことになる。また、ファンと冷凍サイクルの運転と停止を繰り返す運転は、消費電力が大きい冷凍サイクルの起動を繰り返すことになるので、多くの無駄なエネルギーを消費することになるのは上記冷房の場合と同様である。
【０１２７】
これに対し、空気調和装置Ａ１は、無動力の輻射式熱交換器Ｒ１が、室内機９１のファン９７０が停止していても暖房時においては凝縮器として作動するので、冷凍サイクルを維持することができる。これにより、空気調和装置Ａ１は、実質的に輻射式熱交換器Ｒ１のみを運転して快適性を維持する省エネルギー運転を行うことができる。
【０１２８】
また、ファン９７０を停止させることで、モーターノイズや風切り音がなく、静寂性が得られ、エアコン９の送風（温風）による不快なドラフト感や冷え過ぎも防止できる。
更には、輻射式熱交換器Ｒ１からの輻射熱による熱移動によって、床壁天井、人体、備品等の温度が上がり、室内の上下で温度ムラが少なくなって快適性が向上するのは上記冷房の場合と同様である。なお、輻射熱は、体感に直接作用するため、同じ室温でもより温かく感じられる。
このような、エアコンと輻射式熱交換器を同時に運転してハイブリッド運転を行い、その状態からエアコンのファンを停止させて実質的に輻射式熱交換器のみを運転する制御は、後で説明する空気調和装置Ａ２、Ａ３、Ａ４、Ａ５及びＡ６でも同様に行うことができる。
【０１２９】
また、空気調和装置Ａ１の運転において、エアコン９のみによる冷房及び暖房と、エアコン９と輻射式熱交換器Ａ１による冷房及び暖房を行い、それぞれについてＰＭＶの評価を行った。ＰＭＶ(Predicted Mean Vote）とは、予想平均温冷感申告のことで、デンマーク工科大学のFanger教授によって発表された理論であり、人間が感じる温冷感の指標である。ＰＭＶ値を計算することによって、温度環境に関する六要素（空気温度、平均輻射温度、風速、相対湿度、着衣量、代謝量）の組み合わせに対する快適度を求めることができる。
【０１３０】
ＰＭＶの計算式は次の通りである。
PMV=（0.303e-0.036Ｍ+0.028）×Ｍ−Ｗ-Ed-Es-Ere-Cre-R-C）
M：代謝量（W/m2)         Ere：呼吸による潜熱損失量（W/m2)
W：機械的仕事量（W/m2） Cre：呼吸による顕熱損失量（W/m2)
Ed：不感蒸泄量（w/m2）         R：放射熱損失量（W/m2)
Es：皮膚面よりの蒸発熱損失量（w/m2）
C：対流熱損失量（W/m2)
夏期0.6（半袖）と1.1（椅子座）、
冬期1.0（背広）と1.1（椅子座）、を想定。
（条件）
エアコン冷房      （室温24.2℃：グローブ温度27℃：風速0.10ｍ／s：湿度52.8％）
エアコン＋輻射冷房（室温24.2℃：グローブ温度26℃：風速0.10ｍ／s：湿度51.6％）
エアコン暖房      （室温30.6℃：グローブ温度31℃：風速0.10ｍ／s：湿度40.0％）
エアコン＋輻射暖房（室温30.6℃：グローブ温度31.8℃：風速0.10ｍ／s：湿度41.9％）
【０１３１】
ＰＭＶ評価は、−３〜＋３までの数値で表され、ＰＭＶ値±０を中立状態とし、数値がより大きくなると、より暖かいか、又は暑いと感じる評価となり、数値がより小さくなると、より涼しいか、又は寒いと感じる評価になる。
指標としては、−３：寒い、−２：涼しい、−１：やや涼しい、±０：どちらでもない、１：やや温かい、２：温かい、３：暑い、とされる。
【０１３２】
（冷房時の結果）
エアコンのみによる冷房・・・・・・・・・・・・・ＰＭＶ＝０．２５
エアコンと輻射式熱交換器による冷房・・・・・・・ＰＭＶ＝０．０９
このように、エアコン９と輻射式熱交換器Ｒ１を連動して運転した方が、エアコン単独運転よりも数値が低くなっており、より涼しさを感じるという結果となった。
これは、冷房時、輻射式熱交換器Ｒ１の冷熱輻射（吸熱作用）と、除湿作用によって湿度が低下したことも要因と考えられる。すなわち、輻射式熱交換器Ｒ１の冷熱輻射作用と空気の流れによる発熱体１との熱交換により表面に結露した水分をドレンパン１５に集め、水分は屋外に排出されるので、湿度が低下し、双方が相まって快適性が向上すると思われる。
【０１３３】
（暖房時の結果）
エアコンのみによる暖房・・・・・・・・・・・・・ＰＭＶ＝１．９９
エアコンと輻射式熱交換器による暖房・・・・・・・ＰＭＶ＝２．１０
このように、輻射式熱交換器を連動して運転した方が、エアコン単独運転よりも数値が高くなっており、より暖かさを感じるという結果となった。
【０１３４】
また、冷房時、エアコン９の室内機９１を蒸発器とし、室内空気の熱で加温されて一部液相（気液二相）となった冷媒は、例えば７℃から１５℃程度であり、この冷媒を輻射式熱交換器Ｒ１の発熱体１に通すため、発熱体１が凍結することはない。さらに、輻射式熱交換器Ｒ１の発熱体１で加温されることで冷媒の蒸発が促進され、気化が充分に行われるので、圧縮機９４にかかる負荷が軽減され、圧縮機９４の寿命を延ばすことに貢献できると共に省エネルギーになる。
【０１３５】
空気調和装置Ａ１は、輻射式熱交換器Ｒ１による無風、無音の輻射冷暖房の機能が発揮される分だけ、床面５や壁面８、天井面６の温度むらが低減され、室内機９１の風量を下げても充分に快適性が得られるので、室内機９１からの大風量による不快なドラフトを抑制することができる。これにより、室内機９１側の室内側熱交換器９７のファン９７０の運転を抑制することが可能になり、ファン９７０のモーターの寿命が延び、延いては室内機９１の寿命を延ばすことができる。
【０１３６】
図７を参照する。
空気調和装置Ａ２は、店舗等で多く使用されるマルチエアコン９ａと、二台の輻射式熱交換器Ｒ１を備えている。マルチエアコン９ａは、室外機９０ａと、室外機９０ａに並列につながれた各室内に設置される二台の室内機９１ａ、９１ｂを有している。また、各輻射式熱交換器Ｒ１、Ｒ１は、上記空気調和装置Ａ１の輻射式熱交換器Ｒ１と同様に床５と天井６の間に設置されている。
【０１３７】
また、本実施の形態では、輻射式熱交換器は、室内機一台当たり一台を設置しているが、室内機一台当たり複数台を直列又は並列に接続して設置することもできる。
なお、空気調和装置Ａ２は、室内機９１ａ、９１ｂと輻射式熱交換器Ｒ１、Ｒ１をそれぞれ二台有する点で上記空気調和装置Ａ１とは相違しているが、各室内の室内機９１ａ、９１ｂと輻射式熱交換器Ｒ１、Ｒ１、それらをつなぐ配管９２ａ、９２ｂ、９２ｃ及び各バルブＶ１〜Ｖ６を有する構造は、上記空気調和装置Ａ１と同様であるので、構造についての説明は省略する。
【０１３８】
また、本実施の形態では、輻射式熱交換器は、室内機一台当たり一台を設置しているが、室内機一台当たり複数台を直列又は並列に接続して設置することもできる。
なお、空気調和装置Ａ２は、それぞれ二台の室内機９１ａ、９１ｂと輻射式熱交換器Ｒ１、Ｒ１を有する点で上記空気調和装置Ａ１とは相違しているが、各室内における室内機９１ａと輻射式熱交換器Ｒ１及び室内機９１ｂと輻射式熱交換器Ｒ１の運転方法及び作用は、上記空気調和装置Ａ１の室内機９１と輻射式熱交換器Ｒ１とほぼ同様であるので、運転方法及び作用の説明は省略する。
【０１３９】
図８を参照する。
上記輻射式熱交換器Ｒ１は、図８に示す輻射式熱交換器Ｒ２で代替することもできる。
輻射式熱交換器Ｒ２は、配管がそれぞれ直列型である発熱体１ａ、１ｂが、輻射式熱交換器Ｒ１の配管が並列型である発熱体１と構造が異なる以外は、輻射式熱交換器Ｒ１とほぼ同様の構造を有している。なお、図８（ａ）、（ｂ）において、輻射式熱交換器Ｒ１と同等箇所には同一の符号を付して示し、その部分の構造の説明は省略する。
【０１４０】
発熱体１ａ、１ｂは、輻射式熱交換器Ｒ２の正面側と背面側にやや間隔をおいて併設されており、互いに同じ構造である。化粧フレーム２、２ａの上端部には、吊り梁部材１９が架設されている。発熱体１ａ、１ｂは、上記鉛直管１２と同じ扁平管で形成され、上下端にそれぞれ同じ高さに多数のＵ字状の折り返し部（符号省略）を有する蛇管である。
なお、上記発熱体１の鉛直管１２及び発熱体１ａ、１ｂの蛇管状の配管は、内面に長手方向に並行する複数の条部１２１を有する管体１２ａ（図６（ｃ）参照）又は条部が形成されていない管体で形成することもできる。
【０１４１】
発熱体１ａ、１ｂは、それぞれ上側の折り返し部が、多数の吊具１９０を介し、吊り梁部材１９に吊設されている。発熱体１ａ、１ｂの蛇管状の配管の両端側は、それぞれ吊り梁部材１９を貫通し、各先端部には給排管１３、１４が接続されている。給排管１４、１３は、配管９２ａ、９２ｂに接続されている。
【０１４２】
また、発熱体１ａ、１ｂは、上記したような蛇管状であるため、配管が並列型の上記発熱体１とは相違して、暖房時に高温高圧の気相冷媒を配管の下側から上側へ通し、冷房時に気液二相冷媒を配管の上側から下側へ通すことにより上記したような効果が得られる優位性はないが、冷媒を配管の上下どちら側から他方側へ通してもよいので、配管の自由度が高い。
【０１４３】
また、冷媒が配管内を上下に繰り返し移動する過程で、気液二相冷媒の重力による下方移動と、気相冷媒の重力がほとんど作用しない状態での上方移動が交互に繰り返し行われることになり、冷媒の流通がスムーズに行われ、蒸発器としての熱交換もスムーズに行われる。
なお、蛇管の形態は冷媒の流通方向が上下方向であるものに限定するものではなく、次に説明する冷媒の流通方向が水平方向の蛇管を採用することもできる。
【０１４４】
図９を参照する。
上記輻射式熱交換器Ｒ１は、図９に示す輻射式熱交換器Ｒ３で代替することもできる。
輻射式熱交換器Ｒ３は、配管が冷媒の流通方向が水平方向の蛇管である発熱体１ｃが、配管が並列型である発熱体１と構造が異なる以外は、輻射式熱交換器Ｒ１とほぼ同様の構造を有している。なお、図９（ａ）、（ｂ）において、輻射式熱交換器Ｒ１と同等箇所には同一の符号を付して示し、その部分の構造の説明は省略する。
【０１４５】
発熱体１ｃは、上記発熱体１の鉛直管１２と同じ扁平管で形成され、左右端にそれぞれ多段にＵ字状の折り返し部（符号省略）を有する蛇管である。発熱体１ｃは、化粧フレーム２、２ａのそれぞれの内側に鉛直に設けられた支持部材２９に、左右端の各折り返し部を取付具（図示省略）で固定することにより支持されている。発熱体１ｃの蛇管状の配管の両端部は、給排管１３、１４に接続されている。そして、給排管１４、１３は、配管９２ａ、９２ｂに接続されている。
なお、発熱体１ｃの配管は、上記発熱体１ａ、１ｂと同様に内面に長手方向に並行する複数の条部１２１を有する管体１２ａ（図６（ｃ）参照）又は条部が形成されていない管体で形成することもできる。
【０１４６】
また、発熱体１ｃは、上記したような蛇管状であるため、上記発熱体１と同様に、暖房時に高温高圧の気相冷媒を配管の下側から上側へ通し、冷房時に気液二相冷媒を配管の上側から下側へ通すことにより、発熱体１と同様に上記したような効果が得られる優位性を備えている。
【０１４７】
すなわち、暖房時においては、高温の気相冷媒が給排管１４から発熱体１に供給されることにより発熱体１は加熱され、温度がより低く上方と温度差が大きい室内下方の床面５付近の空気をまず加熱するので、熱交換効率がよく、効果的な暖房を行うことができる。また、気相冷媒は、下部ヘッダー１１から分岐された各鉛直管１２に導かれて、凝縮し放熱しながら上向きに移動する。その際には、冷媒が気相であるため、冷媒に重力はほとんど作用せず、上方へ円滑に移動できる。
また、冷房時においては、通常上方の天井付近の温度が高く、再気化するための熱エネルギーが大きいので、冷媒を発熱体１ｃの上部の給排管１３から配管に導入することにより熱効率がよくなる。また、気液二相冷媒が、配管に導かれて熱を吸収しながら重力の作用で配管を下向きに移動する過程において、効率よく熱交換されて気相冷媒に変化し、気相冷媒は室外機９０に導かれる。
【０１４８】
図１０及び図１１を参照する。
なお、図１０（ａ）、（ｂ）において、上記輻射式熱交換器Ｒ１と同一または同等箇所には同一の符号を付して示し、構造について重複する説明は省略する。
上記輻射式熱交換器Ｒ１は、図１０に示す輻射式熱交換器Ｒ４で代替することができる。
輻射式熱交換器Ｒ４は、発熱体１ｄの構造が上記発熱体１と異なるだけで、他の部分の構造は輻射式熱交換器Ｒ１と同じである。なお、発熱体１ｄは、配管が並列型であるが、これに限定するものではなく、配管を、直列型であり冷媒の流通方向が縦方向又は横方向の蛇管状とすることもできる。
【０１４９】
発熱体１ｄに使用されている鉛直管である管体１２ａ（図６（ｃ）の管体と同じもの）は、熱交換効率を高めるための熱伝導性に優れたアルミニウム製の外殻体１８で覆われている。外殻体１８は、互いに同じ形状の殻部材１８１、１８２で構成されている。殻部材１８１、１８２は、図１１（ｂ）に示すように嵌合部（符号省略）で嵌め合わせることで、横断面の外形がやや扁平なほぼ楕円形状となるように形成されている。殻部材１８１、１８２のそれぞれの嵌合部には、それぞれ管体１２ａの外形（外表面）に密着するように合わさる凹面部（符号省略）を有している。殻部材１８１、１８２のそれぞれには、空隙１８３、１８４が長手方向に、かつ互いに独立して形成されている。なお、空隙１８３、１８４は本実施の形態では密封されているが、外気と通じていてもよい。
【０１５０】
殻部材１８１、１８２の外表面（嵌合時の外表面）には、多数の凹凸１８５を有するローレット加工が施されており、表面積をより広くして熱交換効率を上げるようにしている。図１１（ｂ）に示すように、殻部材１８１、１８２を各凹面部で管体１２ａを保持するように嵌め合わせた状態では、外殻体１８と管体１２ａは、相対的には動くことがない。そして、管体１２ａを内包している各外殻体１８は、図１１（ａ）に示すように、隣り合う各外殻体１８同士で、互いに放射熱の影響を受けにくいように、外面が相対向しないようにハの字状（又はジグザグ状）に配置されており、この点でも熱交換効率を上げることができるようにしている。
【０１５１】
図１２を参照する。なお、図１２中の表記で、ＥＸ７は「暖房時」を示し、ＥＸ８は「冷房時」を示し、ＥＸ９は「暖房時膨張」を示し、ＥＸ１０は「冷房時収縮」を示す。
上記輻射式熱交換器Ｒ１は、図１２に示す輻射式熱交換器Ｒ５で代替することもできる。  輻射式熱交換器Ｒ５は、発熱体１の下部に、流れる空気を案内する下部通気案内部材１７を備えており、発熱体１の上部に上部通気案内部材１８を備えている。下部通気案内部材１７は、発熱体１の下部ヘッダー管１１の長さとほぼ同じ幅で上下方向に所要の長さを有する二枚の曲板（符号省略）で構成され、各曲板はドレンパン１５の正面側と背面側に対向して化粧フレーム２、２ａに固定されている。
【０１５２】
また、上部通気案内部材１８は、発熱体１の上部ヘッダー管１０の長さとほぼ同じ幅で上下方向に所要の長さを有する二枚の曲板（符号省略）で構成され、各曲板は上部ヘッダー管１０の正面側と背面側に対向して化粧フレーム２、２ａに固定されている。なお、下部通気案内部材１７及び上部通気案内部材１８の素材は、各種金属又は合成樹脂等であるが、これらに限定はされない。
【０１５３】
輻射式熱交換器Ｒ５は、下部通気案内部材１７及び上部通気案内部材１８を備えることにより、空隙３９、４９における空気の流れが円滑に行われるようになり、本形態ではそれぞれ二枚構造である整流板３、３ａと整流板４、４ａを利用した煙突効果による空気の流れを更に効率よく行うことができる。
なお、下部通気案内部材１７及び上部通気案内部材１８には、表面に消臭機能、抗菌機能、あるいは揮発性有機化合物の吸着分解機能等を有するコーティングを施して、室内空気清浄化を図ることもできる。
【０１５４】
図１３を参照する。
上記輻射式熱交換器Ｒ１、Ｒ２、Ｒ３、Ｒ４、Ｒ５は、図１３（ａ）、（ｂ）に示すように正面側の整流板３、３ａの表面に、広告を表示することもできる。
図１３（ａ）では整流板３ａから上側の整流板３にかけて縦方向へ、「ｅｃｏｗｉｎ」のロゴを表現した広告文字７ａが印刷されている。図１３（ｂ）では、上側の整流板３下部の表面に幅方向へ「ｅｃｏｗｉｎ」のロゴを表現した広告文字７ｂが印刷されている。
また、背面側の整流板４、４ａにも同様に広告文字を印刷することができる。各整流板に表現するものとしては、広告やサイン（記号や看板表示）、各種デザインに限らず、絵、写真等、各種アーティスティックな表現を採用することもできる。
【０１５５】
これにより、空気の対流を促進する煙突効果を生む機能性に加えて、発熱体１のカバーとしての機能を有する整流板３、３ａ、３ｂ及び整流板４、４ａ、４ｂを広告パネルやサインとして活用することができる。すなわち、輻射式熱交換器Ｒ１、Ｒ２、Ｒ３、Ｒ４、Ｒ５は、設置する室内空間に大きく露出する形態でもあり、存在感があるので、この露出する形態を利用することで、より効果的な広告の機能を持たせることができる。
【０１５６】
図１４を参照する。
以下、図１７までは、運転モード切替手段としての配管とバルブの構成のバリエーションを表したものである。なお、図１４ないし図１７においては、図１と同様に符号を付与し、便宜上、バルブの符号に数字を残しているが、その数字に順番、順位又は重要度等の意味が含まれるものではない。
図１４に示す空気調和装置Ａ３は、上記空気調和装置Ａ１の構成からバルブＶ２を除いて、使用するバルブを五個としたものであり、他の部分の構成は同じである。
【０１５７】
そして、空気調和装置Ａ３において、室外機９０と共に室内機９１及び輻射式熱交換器Ｒ１を運転する際には、バルブＶ５、バルブＶ６を閉じ、バルブＶ１、バルブＶ３、バルブＶ４を開けておくようにする。また、室内機９１の運転を停止し、輻射式熱交換器Ｒ１のみを運転する際には、バルブＶ１、バルブＶ６を閉じ、バルブＶ３、バルブＶ４、バルブＶ５を開けておくようにする。更に、輻射式熱交換器Ｒ１の運転を停止し、室内機９１のみを運転する際は、バルブＶ３、バルブＶ４、バルブＶ５を閉じ、バルブＶ１、バルブＶ６を開けておくようにする。
【０１５８】
図１５を参照する。
図１５に示す空気調和装置Ａ４は、上記空気調和装置Ａ１の構成からバルブＶ２とバルブＶ４を除いて、使用するバルブを四個としたものであり、他の部分の構成は同じである。なお、本実施の形態では、他にも上記空気調和装置Ａ１の構成からバルブＶ２とバルブＶ３を除く構成、バルブＶ１とバルブＶ３を除く構成、又はバルブＶ１とバルブＶ４を除く構成としても実質的に下記と同様の運転をすることができる。
【０１５９】
そして、空気調和装置Ａ４において、室外機９０と共に室内機９１及び輻射式熱交換器Ｒ１を運転する際には、バルブＶ５、バルブＶ６を閉じ、バルブＶ１、バルブＶ３を開けておくようにする。また、室内機９１の運転を停止し、輻射式熱交換器Ｒ１のみを運転する際には、バルブＶ１、バルブＶ６を閉じ、バルブＶ３、バルブＶ５を開けておくようにする。更に、輻射式熱交換器Ｒ１の運転を停止し、室内機９１のみを運転する際は、バルブＶ３、バルブＶ５を閉じ、バルブＶ１、バルブＶ６を開けておくようにする。
【０１６０】
図１６を参照する。
図１６に示す空気調和装置Ａ５は、上記空気調和装置Ａ１の構成から配管９２ｃ、バルブＶ１、Ｖ２、Ｖ３、Ｖ４、Ｖ５を除いて、使用するバルブをバルブＶ６の一個としたものであり、他の部分の構成は同じである。
【０１６１】
そして、空気調和装置Ａ５において、室外機９０と共に室内機９１及び輻射式熱交換器Ｒ１を運転する際には、バルブＶ６を閉じるようにする。
また、輻射式熱交換器Ｒ１の運転を停止し、室内機９１のみを運転する際は、バルブＶ６を開けるようにする。これにより、配管９２を通る冷媒は、配管９２から分岐した配管９２ａの接続部と配管９２ｂの接続部の間の経路より長い配管９２ａ、発熱体１の配管１２及び配管９２ｂは通らず、経路が短い側の配管９２ａの接続部と配管９２ｂの接続部の間の経路を通る。更に、室内機９１の運転を停止し、輻射式熱交換器Ｒ１のみを運転する際には、バルブＶ６を閉じた状態で、エアコン９の室内機９１側のファン９７０を停止させる。これにより、室内機９１は、室内側熱交換器９７の配管に冷媒が通るだけで空調を行うことはできず、実質的に輻射式熱交換器Ｒ１のみが運転することになる。
【０１６２】
図１７を参照する。
図１７に示す空気調和装置Ａ６は、上記空気調和装置Ａ１の構成から配管９２ｃ、バルブＶ１、Ｖ２、Ｖ５を除いて、使用するバルブをバルブＶ６とバルブＶ３、バルブＶ４の三個としたものであり、他の部分の構成は同じである。なお、本実施の形態においては、更にバルブＶ３又はバルブＶ４を除いた構成としても、実質的に下記と同様の運転をすることができる。
【０１６３】
そして、空気調和装置Ａ６において、室外機９０と共に室内機９１及び輻射式熱交換器Ｒ１を運転する際には、バルブＶ６を閉じ、バルブＶ３、バルブＶ４を開けるようにする。また、輻射式熱交換器Ｒ１の運転を停止し、室内機９１のみを運転する際は、バルブＶ６を開け、バルブＶ３、バルブＶ４を閉じるようにする。更に、室内機９１の運転を停止し、輻射式熱交換器Ｒ１のみを運転する際には、バルブＶ６を閉じ、バルブＶ３、バルブＶ４を開けた状態で、エアコン９の室内機９１側のファン９７０を停止させる。これにより、室内機９１は、室内側熱交換器９７の配管に冷媒が通るだけで空調を行うことはできず、実質的に輻射式熱交換器Ｒ１のみが運転することになる。
【０１６４】
ところで、一般的に使用されているパッケージエアコンとしては、大別してルームエアコンとビルマルチエアコンがある。ルームエアコンは主に家庭用で、ビルマルチエアコンは業務用施設などで多く利用されている。上記輻射式熱交換器Ｒ１、Ｒ２、Ｒ３、Ｒ４、Ｒ５は、これらと組み合わせて使用することが想定されており、以下の実験ではインバータを備えたエアコンとの組合せ、及びインバータを備えていないエアコンとの組合せで輻射式熱交換器の能力がどのように発揮されるか、暖房の場合で比較を行った。
【０１６５】
実験は、以下の四つのケースで、それぞれ温度の変化（推移）、及び消費電力量の変化（推移）について行った。
<CASE1>⇒インバータ付きルームエアコンのみの運転による対流式空調。
<CASE2>⇒インバータ付きルームエアコンと輻射式熱交換器の同時運転によるハイブリッド空調。
<CASE3>⇒インバータのないビルマルチエアコンのみの運転による対流式空調。
<CASE4>⇒インバータのないビルマルチエアコンと輻射式熱交換器の同時運転によるハイブリッド空調。
【０１６６】
（温度変化の比較試験）
○ルームエアコン（インバータ付）での比較
図１８を参照する。図１８はCASE1のエアコンのみを運転した場合と、CASE2のエアコンと輻射式熱交換器を同時に運転した場合の室温の変化を示したグラフである。なお、図中、CASE末尾の(d)は温度の測定点が実験室の中央であり、(e)は温度の測定点が輻射式熱交換器の正面であることを示している。
【０１６７】
実験の条件は次の通りである。
項目                      CASE1              CASE2
設定温度℃                 27                 24      
風量                      最小               最小
風向                      水平               水平
試験時間min                90                 90
外気温度（平均）℃         9.71               10.2
外気湿度（平均）％         18.1               22.7
【０１６８】
（考察）
図１８に示すように、30分を経過するまでは、最初の約5分間を除いて、CASE1に比べCASE2の温度が高くなっている。つまり、輻射式熱交換器を備えたCASE2の方が室温の立ち上がりが早いことが分かる。そして、CASE1では、(d),(e)の室温が共に設定温度（27℃）に達するまで約50分を要したが、CASE2では、室温が設定温度（24℃）に達するのに約15分しかかからなかった。なお、CASE1では、CASE2の設定温度（24℃）に達するのに２５分以上かかっている。
【０１６９】
そして、実験開始直後、CASE2では急速に部屋が温まり、約30分でPMVが0である定常状態となった。一方、CASE1では、部屋の温まりが遅く、PMVが0となる定常状態までは、約50分かかった。この結果から、設定温度の差を加味しても、ハイブリッド式のCASE2の方が、エアコン単独で対流式のCASE1に比べて高効率であり、快適性に優れていることが分かった。
【０１７０】
○ビルマルチエアコン（インバータなし）での比較
図１９を参照する。図１９は<CASE3>のビルマルチエアコンのみを運転した場合と、<CASE4>のビルマルチエアコンと輻射式熱交換器を同時に運転した場合の室温の変化を示したグラフである。なお、図中、CASE末尾の(d)は温度の測定点が実験室の中央であり、(g)は温度の測定点が輻射式熱交換器の正面であることを示している。
【０１７１】
実験の条件は次の通りである。
項目                      CASE3              CASE4
設定温度℃                 27                 27      
風量                      最小               最小
風向                      水平               水平
試験時間min                90                 90
外気温度（平均）℃         10.5               11.8
外気湿度（平均）％         75.2               69.9
【０１７２】
（考察）
輻射式熱交換器の正面に位置する測定点(g)においては、ビルマルチエアコンのみが運転しているCASE3と、ビルマルチエアコンと輻射式熱交換器が一緒に運転しているCASE4の温度の推移には、それ程大きな差は認められなかった。また、実験室中央である測定点(d)においても、CASE3とCASE4では、同様にほとんど差が認められなかった。更に、温度上昇の速度についても、ルームエアコンの場合のような顕著な違いは確認できなかった。
【０１７３】
このようなルームエアコンとの結果の違いは、インバータの有無に起因すると考えられる。ビルマルチエアコンと輻射式熱交換器のハイブリッド空調では、コンプレッサが停止するのに伴って輻射式熱交換器の運転も停止している。よって、輻射熱の放出が充分ではないために、ルームエアコンのような顕著なデータが得られなかったと思われる。
【０１７４】
（消費電力量の比較試験）
○ルームエアコン（インバータ付）での比較
図２０を参照する。図２０は、空気調和装置のエアコンのみを運転した場合と、エアコンと輻射式熱交換器を同時に運転した場合の消費電力の変化を示したグラフである。なお、図２０中の表記で、ＥＸ１１は「消費電力量」を示す。
【０１７５】
実験の条件は次の通りである。
項目                      CASE1              CASE2
設定温度℃                 27                 24      
風量                      最小               最小
風向                      水平               水平
試験時間min                90                90
外気温度（平均）℃         9.71               10.2
外気湿度（平均）％         18.1               22.7
グローブ温度（定常時）℃    24                23.5 
室温(定常時)℃               25.8               24.4
PMV(定常時)                 0.087442          0.085886
【０１７６】
（考察）
初動状態，定常状態の両方で、輻射式熱交換器をエアコンと同時に運転したCASE2の方が、エアコンのみを運転したCASE1に比べて消費電力量が少ないことが確認できた。本分析は、初動状態と定常状態を合わせた場合の消費電力量を比較し、輻射式熱交換器の設置による省エネルギー効果を定量的に示すものである。そして、運転開始から90分間の消費電力量の総量では、以下に示すように、CASE2はCASE1に比べて約34％の削減となった。
【０１７７】
CASE1        CASE2       削減効果％
消費電力量 kWh/90分          1.103          0.73          33.8
【０１７８】
○ビルマルチエアコン（インバータなし）での比較
図２１を参照する。図２１は、空気調和装置のビルマルチエアコンのみを運転した場合と、ビルマルチエアコンと輻射式熱交換器を同時に運転した場合の消費電力の変化を示したグラフである。なお、図２１中の表記で、ＥＸ１１は「消費電力量」を示す。
【０１７９】
実験の条件は次の通りである。
項目                      CASE3              CASE4
設定温度℃                 27                 27      
風量                      最小               最小
風向                      水平               水平
試験時間min                90                 90
外気温度（平均）℃        10.49               11.8
外気湿度（平均）％        75.2                69.9
グローブ温度（定常時）℃   23.3                23.8 
室温(定常時)℃              24.5                24.4
PMV(定常時)               0.015546            0.039101
【０１８０】
（考察）
運転開始から90分間の消費電力量の総量では、削減効果は見られなかった。これは、ビルマルチエアコンにはインバータ機能がないため、輻射式熱交換器からの輻射熱が充分に発せられなかったためだと考えられる。
【０１８１】
CASE3        CASE4       削減効果％
消費電力量 kWh/90分          1.566          1.686          -8
【０１８２】
上記のように、インバータを備えたルームエアコンでは、充分に輻射式熱交換器の効果を確認できた。一方で、インバータのないビルマルチエアコンにおいては、温度変化比較試験，消費電力量比較試験の両試験で輻射式熱交換器の有無の差異がほとんど見られず、輻射式熱交換器の効果を確認できなかった。
すなわち、輻射式熱交換器は、停止状態になることが少なく輻射式熱交換器から持続的に輻射熱を生じさせることができるインバータ付きのエアコンと組み合わせることによって、機能を充分に発揮できることが分かった。また、上記実験は暖房で行ったが、冷房の場合も、輻射式熱交換器の機能を充分に発揮させるにはインバータ付きのエアコンを使用すべき点において、同様の結果が推定できる。
【０１８３】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【０１８４】
Ａ１  空気調和装置
９  エアコン
９０  室外機
９１  室内機
９２  配管
９２ａ、９２ｂ、９２ｃ  配管
９３  室外側熱交換器
９３０  ファン
９４  圧縮機
９５  四方切替弁
９６  膨張弁
９７  室内側熱交換器
９７０  ファン
９８  配管
９９  制御部
Ｖ１、Ｖ２、Ｖ３、Ｖ４、Ｖ５、Ｖ６  バルブ
Ｒ１  輻射式熱交換器
１  発熱体
１０  上部ヘッダー管
１１  下部ヘッダー管
１２  鉛直管
１２０  流路
１３  給排管
１４  給排管
１５  ドレンパン
１６  ドレン管
１６０  排水管
１２ａ  配管
１２１  条部
２、２ａ  化粧フレーム
２０、２１  下部固定用部材
２２、２３  上部固定用部材
２４、２５  取付具
２６  補強部材
２７  上部開口部
２８  下部開口部
３、３ａ、３ｂ  整流板
３０  輻射熱通過孔
３１  反射面
３９  空隙
４、４ａ、４ｂ  整流板
４０  輻射熱通過孔
４１  反射面
４９  空隙
５  床面
５０  下部隙間
６  天井面
６０  上部隙間
７ａ、７ｂ  広告文字
８  壁面
Ｒ２  輻射式熱交換器
１ａ、１ｂ  発熱体
１９  吊り梁部材
１９０ 吊り具
Ｒ３  輻射式熱交換器
１ｃ  発熱体
２９  支持部材
Ｒ４  輻射式熱交換器
１ｄ  発熱体
１８  外殻体
１８１、１８２  殻部材
１８３、１８４  空隙
１８５  条部
Ｒ５  輻射式熱交換器
１７  下部通気案内部材
１８  上部通気案内部材
Ａ２  空気調和装置
９ａ  マルチエアコン
９０ａ  室外機
９１ａ、９１ｂ  室内機
Ａ３  空気調和装置
Ａ４  空気調和装置
Ａ５  空気調和装置
Ａ６  空気調和装置
【要約】
【課題】エアコンと輻射式熱交換器を組み合わせた空気調和装置において、輻射式熱交換器により室内空気の対流を促進することにより、エアコンのファンによる送風を抑制してドラフト感を低減した空気調和装置を提供する。
【解決手段】空気調和装置Ａ１は、冷凍サイクルに組み込まれた室外機９０と室内機９１を有するエアコン９と、冷媒が通る配管を含み構成された発熱体１を有し、室外機９０と室内機をつなぐ冷媒が通る配管９２に、発熱体１を構成する各配管が接続された輻射式熱交換器Ｒ１を備えており、輻射式熱交換器Ｒ１は発熱体１の正面側と背面側に発熱体１との間に空気が流れる空隙を設けて整流板が鉛直に配置されており、整流板は多数の輻射熱通過孔を有している。
【選択図】図１【図１】
0005544580.tif 000002
【図２】
0005544580.tif 000003
【図３】
0005544580.tif 000004
【図４】
0005544580.tif 000005
【図５】
0005544580.tif 000006
【図６】
0005544580.tif 000007
【図７】
0005544580.tif 000008
【図８】
0005544580.tif 000009
【図９】
0005544580.tif 000010
【図１０】
0005544580.tif 000011
【図１１】
0005544580.tif 000012
【図１２】
0005544580.tif 000013
【図１３】
0005544580.tif 000014
【図１４】
0005544580.tif 000015
【図１５】
0005544580.tif 000016
【図１６】
0005544580.tif 000017
【図１７】
0005544580.tif 000018
【図１８】
0005544580.tif 000019
【図１９】
0005544580.tif 000020
【図２０】
0005544580.tif 000021
【図２１】
0005544580.tif 000022